(57)【特許請求の範囲】
【請求項１】
連続鋳造用タンディッシュ昇降用駆動油圧シリンダーの同期制御サブシステムおよび連続鋳造用タンディッシュ昇降用従動油圧シリンダーの同期制御サブシステムを含む連続鋳造用タンディッシュ昇降用油圧シリンダーの同期制御システムに基づく同期制御方法において、前記連続鋳造用タンディッシュ昇降用駆動油圧シリンダーの同期制御サブシステムは、駆動油圧シリンダーの同期位置偏差オーバーラン制御ユニットと、駆動油圧シリンダーの同期位置偏差速度補正ユニットとを含み、前記連続鋳造用タンディッシュ昇降用従動油圧シリンダーの同期制御サブシステムは、従動油圧シリンダーの同期位置偏差オーバーラン制御ユニットと、従動油圧シリンダーの同期位置偏差速度補正ユニットとを含み、連続鋳造用タンディッシュ昇降用油圧シリンダーの同期制御システムに基づく連続鋳造用タンディッシュ昇降用油圧シリンダーの同期制御方法は、
１）連続鋳造用タンディッシュが下降移動する時、駆動油圧シリンダーの同期位置偏差オーバーラン制御ユニットは、駆動油圧シリンダーの位置値と各従動油圧シリンダーの位置値との差の最小値ΔＳｍｓ．ｂ．ｍｉｎを取得し、ΔＳｍｓ．ｂ．ｍｉｎの数値が設定された最大許容位置偏差の負の値以下である場合、駆動油圧シリンダーは、駆動油圧シリンダーと最も遅く下降する従動油圧シリンダーとの間の位置偏差値が設定された最大許容位置偏差の負の値より大きくなるまで下降を停止し、連続鋳造用タンディッシュが下降移動する時、従動油圧シリンダーの同期位置偏差オーバーラン制御ユニットは、各従動油圧シリンダーの位置値と駆動油圧シリンダーの位置値との差ΔＳｓｎｍを取得し、ΔＳｓｎｍの数値が設定された最大許容位置偏差の負の値以下である場合、従動油圧シリンダーは、従動油圧シリンダーの同期位置偏差値ΔＳｓｎｍが設定された最大許容位置偏差の負の値より大きくなるまで下降を停止することと、
２）連続鋳造用タンディッシュの上昇移動中に、駆動油圧シリンダーの同期位置偏差オーバーラン制御ユニットは、駆動油圧シリンダーの実位置値と各従動油圧シリンダーの実位置値との差の最大値ΔＳｍｓ．ｆ．ｍａｘを取得し、ΔＳｍｓ．ｆ．ｍａｘの数値が設定された最大許容位置偏差の正の値以上である場合、駆動油圧シリンダーは、駆動油圧シリンダーと最も遅く上昇する従動油圧シリンダーとの間の位置偏差値が設定された最大許容位置偏差の正の値より小さくなるまで上昇を停止し、連続鋳造用タンディッシュの上昇移動中に、従動油圧シリンダーの同期位置偏差オーバーラン制御ユニットは、各従動油圧シリンダーの位置値と駆動油圧シリンダーの位置値との差ΔＳｓｎｍを取得し、ΔＳｓｎｍの数値が設定された最大許容位置偏差の正の値以上である場合、従動油圧シリンダーは、従動油圧シリンダーの同期位置偏差値ΔＳｓｎｍが設定された最大許容位置偏差の正の値より小さくなるまで上昇を停止することと、
３）連続鋳造用タンディッシュの上昇または下降移動中に、駆動油圧シリンダーの同期位置偏差値ΔＳｍｓが設定された範囲を超えた場合、駆動油圧シリンダーの同期位置偏差速度補正ユニットは、駆動・従動油圧シリンダーの間の位置偏差値ΔＳｍｓが再び設定範囲内になるまで、駆動油圧シリンダーの移動速度を補正することと、
４）連続鋳造用タンディッシュの上昇または下降移動中に、従動油圧シリンダーの同期位置偏差値ΔＳｓｎｍが設定された範囲を超えた場合、従動油圧シリンダーの同期位置偏差速度補正ユニットは、従動油圧シリンダーと駆動油圧シリンダーとの間の位置偏差値ΔＳｓｎｍが再び設定範囲内になるまで、従動油圧シリンダーの移動速度を補正することと、を含むことを特徴とする連続鋳造用タンディッシュ昇降用油圧シリンダーの同期制御システムに基づく同期制御方法。
【請求項２】
１）駆動油圧シリンダーの同期位置偏差速度補正ユニットは、駆動油圧シリンダーの速度補正サブユニットおよび駆動油圧シリンダーの同期偏差高速補正サブユニットを含み、連続鋳造用タンディッシュが下降移動する時、駆動油圧シリンダーの同期位置偏差値ΔＳｍｓが第１の設定範囲を超えた場合、駆動油圧シリンダーの速度補正サブユニットは、駆動油圧シリンダーの同期位置偏差値ΔＳｍｓを反転してから駆動油圧シリンダーの下降同期位置偏差速度補正係数を掛けたもの、を駆動油圧シリンダーの速度補正値とし、連続鋳造用タンディッシュが上昇移動する時、駆動油圧シリンダーの同期位置偏差値ΔＳｍｓが第１の設定範囲を超えた場合、駆動油圧シリンダーの速度補正サブユニットは、駆動油圧シリンダーの同期位置偏差値ΔＳｍｓを反転してから駆動油圧シリンダー上昇同期位置偏差速度補正係数を掛けたもの、を駆動油圧シリンダーの速度補正値とし、連続鋳造用タンディッシュが下降または上昇移動する時、駆動油圧シリンダーの同期位置偏差値ΔＳｍｓが第２の設定範囲を超えた場合、駆動油圧シリンダーの同期偏差高速補正サブユニットは、駆動油圧シリンダーの同期位置偏差値ΔＳｍｓと反対方向の駆動油圧シリンダーの同期位置偏差速度補正値を駆動油圧シリンダーの速度補正値とし、
２）従動油圧シリンダーの同期位置偏差速度補正ユニットは、従動油圧シリンダーの速度補正サブユニットおよび従動油圧シリンダーの同期偏差高速補正サブユニットを含み、連続鋳造用タンディッシュが下降移動する時、従動油圧シリンダーの同期位置偏差値ΔＳｓｎｍが第１の設定範囲を超えた場合、従動油圧シリンダーの速度補正サブユニットは、従動油圧シリンダーの同期位置偏差値ΔＳｓｎｍを反転してから従動油圧シリンダーの下降同期位置偏差速度補正係数を掛けたもの、を従動油圧シリンダーの速度補正値とし、連続鋳造用タンディッシュが上昇移動する時、従動油圧シリンダーの同期位置偏差値ΔＳｓｎｍが第１の設定範囲を超えた場合、従動油圧シリンダーの速度補正サブユニットは、従動油圧シリンダーの同期位置偏差値ΔＳｓｎｍを反転してから従動油圧シリンダー上昇同期位置偏差速度補正係数を掛けたものを、従動油圧シリンダーの速度補正値とし、
３）連続鋳造用タンディッシュが下降または上昇移動する時、従動油圧シリンダーの同期位置偏差値ΔＳｓｎｍが第２の設定範囲を超えた場合、従動油圧シリンダーの同期偏差高速補正サブユニットは、従動油圧シリンダーの同期位置偏差値ΔＳｓｎｍと反対方向の従動油圧シリンダーの同期位置偏差速度補正値を従動油圧シリンダーの速度補正値とする、ことを特徴とする請求項１に記載の連続鋳造用タンディッシュ昇降用油圧シリンダーの同期制御システムに基づく同期制御方法。
【請求項３】
前記請求項１に記載の連続鋳造用タンディッシュ昇降用駆動油圧シリンダーの同期制御サブシステムおよび連続鋳造用タンディッシュ昇降用従動油圧シリンダーの同期制御サブシステムにおいて、駆動油圧シリンダーの故障割り込み制御ユニット、従動油圧シリンダーの故障割り込み制御ユニット、駆動油圧シリンダーの昇降速度閉ループ制御ユニット、従動油圧シリンダーの昇降速度閉ループ制御ユニットが増設されており、連続鋳造用タンディッシュの昇降用油圧制御システムにおいて、タンディッシュ昇降用駆動またはいずれかの従動油圧シリンダーの変位センサの故障、油圧システムの故障、連続鋳造用タンディッシュの昇降作動禁止および緊急停止が発生する場合、駆動油圧シリンダーの故障割り込み制御ユニットは、駆動油圧シリンダーの昇降速度閉ループ制御ユニットの出力を閉鎖するように制御し、従動油圧シリンダーの故障割り込み制御ユニットは、従動油圧シリンダーの昇降速度閉ループ制御ユニットの出力を閉鎖するように制御し、駆動油圧シリンダー比例弁の制御電圧、従動油圧シリンダー比例弁の制御電圧は常にゼロとなり、つまり、駆動、従動油圧シリンダーの昇降制御が閉鎖される、ことを特徴とする請求項１に記載の連続鋳造用タンディッシュ昇降用油圧シリンダーの同期制御システムに基づく同期制御方法。
【請求項４】
前記請求項１に記載の連続鋳造用タンディッシュ昇降用駆動油圧シリンダーの同期制御サブシステムおよび連続鋳造用タンディッシュ昇降用従動油圧シリンダーの同期制御サブシステムにおいて、駆動油圧シリンダーの手動同期昇降制御ユニット、従動油圧シリンダーの手動同期昇降制御ユニット、駆動油圧シリンダーの昇降速度閉ループ制御ユニット、従動油圧シリンダーの昇降速度閉ループ制御ユニットが増設されており、
１）連続鋳造用タンディッシュの昇降用油圧制御システムがタンディッシュ昇降手動連動モードまたはタンディッシュ昇降手動／自動連動モードにある場合、連続鋳造用タンディッシュの手動下降指示が出される間に、駆動油圧シリンダーの同期位置偏差値ΔＳｍｓが設定された最大許容位置偏差の負の値より大きく、且つ駆動油圧シリンダーが下降終端位置に位置しなければ、駆動油圧シリンダーの手動同期昇降制御ユニットは、駆動・従動油圧シリンダーの手動下降速度設定値を駆動油圧シリンダーの昇降速度閉ループ制御ユニットに出力するとともに、駆動油圧シリンダーの昇降速度閉ループ制御ユニットを解放状態にし、駆動油圧シリンダーと最も遅く下降する従動油圧シリンダーとの間の位置偏差が設定範囲を超えた場合、駆動油圧シリンダーと最も遅く下降する従動油圧シリンダーとの間の位置偏差は駆動油圧シリンダーの同期位置偏差速度補正ユニットによって補正され、駆動油圧シリンダーと最も遅く下降する従動油圧シリンダーとの間の位置偏差が設定された最大許容位置偏差の負の値以下であれば、駆動油圧シリンダーは、両者の位置偏差値が再び設定された最大許容位置偏差の負の値より大きくなるまで下降移動を停止し、連続鋳造用タンディッシュの手動上昇指示が出される間に、駆動油圧シリンダーの同期位置偏差値ΔＳｍｓが設定された最大許容位置偏差の正の値より小さく、且つ駆動油圧シリンダーが上昇終端位置に位置しなければ、駆動油圧シリンダーの手動同期昇降制御ユニットは、駆動・従動油圧シリンダーの手動上昇速度設定値を駆動油圧シリンダーの昇降速度閉ループ制御ユニットに出力するとともに、駆動油圧シリンダーの昇降速度閉ループ制御ユニットを解放状態にし、駆動油圧シリンダーと最も遅く上昇する従動油圧シリンダーとの間の位置偏差が設定範囲を超えた場合、駆動油圧シリンダーと最も遅く上昇する従動油圧シリンダーとの間の位置偏差は駆動油圧シリンダーの同期位置偏差速度補正ユニットによって補正され、駆動油圧シリンダーと最も遅く上昇する従動油圧シリンダーとの間の位置偏差が設定された最大許容位置偏差の正の値以上であれば、駆動油圧シリンダーは、両者の位置偏差値が再び設定された最大許容位置偏差の正の値より小さくなるまで上昇移動を停止し、
２）連続鋳造用タンディッシュの昇降用油圧制御システムがタンディッシュ昇降手動連動モードまたはタンディッシュ昇降手動／自動連動モードにある場合、連続鋳造用タンディッシュの手動下降指示が出される間に、従動油圧シリンダーの同期位置偏差値ΔＳｓｎｍが設定された最大許容位置偏差の負の値より大きく、且つ駆動油圧シリンダーが下降終端位置に位置しなければ、従動油圧シリンダーの手動同期昇降制御ユニットは、駆動・従動油圧シリンダーの手動下降速度設定値を従動油圧シリンダーの昇降速度閉ループ制御ユニットに出力するとともに、従動油圧シリンダーの昇降速度閉ループ制御ユニットを解放状態にし、また、従動油圧シリンダーの同期位置偏差値ΔＳｓｎｍが設定範囲を超えた場合、従動油圧シリンダーの同期位置偏差値ΔＳｓｎｍは駆動油圧シリンダーの同期位置偏差速度補正ユニットによって補正され、従動油圧シリンダーの同期位置偏差値ΔＳｓｎｍが設定された最大許容位置偏差の負の値以下であれば、従動油圧シリンダーは、両者の位置偏差値が再び設定された最大許容位置偏差の負の値より大きくなるまで下降移動を停止し、連続鋳造用タンディッシュの手動上昇指示が出される間に、従動油圧シリンダーの同期位置偏差値ΔＳｓｎｍが設定された最大許容位置偏差の正の値より小さく、且つ駆動油圧シリンダーが上昇終端位置に位置しなければ、従動油圧シリンダーの手動同期昇降制御ユニットは、駆動・従動油圧シリンダーの手動上昇速度設定値を従動油圧シリンダーの昇降速度閉ループ制御ユニットに出力するとともに、従動油圧シリンダーの昇降速度閉ループ制御ユニットを解放状態にし、従動油圧シリンダーの同期位置偏差値ΔＳｓｎｍが設定範囲を超えた場合、従動油圧シリンダーの同期位置偏差値ΔＳｓｎｍは従動油圧シリンダーの同期位置偏差速度補正ユニットによって補正され、従動油圧シリンダーの同期位置偏差値ΔＳｓｎｍが設定された最大許容位置偏差の正の値以上であれば、従動油圧シリンダーは、両者の位置偏差値が再び設定された最大許容位置偏差の正の値より小さくなるまで上昇移動を停止する、ことを特徴とする請求項１に記載の連続鋳造用タンディッシュ昇降用油圧シリンダーの同期制御システムに基づく同期制御方法。
【請求項５】
前記請求項１に記載の連続鋳造用タンディッシュの昇降用駆動油圧シリンダーの同期制御サブシステムおよび連続鋳造用タンディッシュの昇降用従動油圧シリンダーの同期制御サブシステムにおいて、駆動油圧シリンダーの位置自動保持制御ユニット、従動油圧シリンダーの位置自動保持制御ユニット、駆動油圧シリンダーの昇降速度閉ループ制御ユニット、従動油圧シリンダーの昇降速度閉ループ制御ユニットが増設されており、
１）連続鋳造用タンディッシュの手動昇降指示の終了時に、連続鋳造用タンディッシュの手動昇降指示の終了後に駆動・従動油圧シリンダーの位置保持値ＳＺＷＢＺと駆動油圧シリンダーの実位置値との差が設定された位置偏差の正の許容値より大きい場合、駆動油圧シリンダーの位置レギュレーターおよび駆動油圧シリンダーの昇降速度閉ループ制御ユニットは解放状態にあり、駆動油圧シリンダーの位置レギュレーターは、駆動・従動油圧シリンダーの位置保持値ＳＺＷＢＺと駆動油圧シリンダーの実位置値との間の差分を小さくするために、駆動・従動油圧シリンダーの位置保持値ＳＺＷＢＺと駆動油圧シリンダーの実位置値との間の差が設定された位置偏差の正の許容値以下になるまで、対応する駆動油圧シリンダーの位置補正速度基準値を出力し、また、連続鋳造用タンディッシュの手動昇降指示の終了後に駆動・従動油圧シリンダーの位置保持値ＳＺＷＢＺと駆動油圧シリンダーの実位置値との差が設定された位置偏差の負の許容値より小さい場合、駆動油圧シリンダーの位置レギュレーターおよび駆動油圧シリンダーの昇降速度閉ループ制御ユニットは解放状態にあり、駆動油圧シリンダーの位置レギュレーターは、駆動・従動油圧シリンダーの位置保持値ＳＺＷＢＺと駆動油圧シリンダーの実位置値との間の差分を大きくするために、駆動・従動油圧シリンダーの位置保持値ＳＺＷＢＺと駆動油圧シリンダーの実位置値との差が設定された位置偏差の負の許容値以上になるまで、対応する駆動油圧シリンダーの位置補正速度基準値を出力し、
２）連続鋳造用タンディッシュの手動昇降指示の終了時に、連続鋳造用タンディッシュの手動昇降指示の終了後に駆動・従動油圧シリンダーの位置保持値ＳＺＷＢＺと従動油圧シリンダーの実位置値との差が設定された位置偏差の正の許容値より大きい場合、従動油圧シリンダーの位置レギュレーターおよび従動油圧シリンダーの昇降速度閉ループ制御ユニットは解放状態にあり、従動油圧シリンダーの位置レギュレーターは、駆動・従動油圧シリンダーの位置保持値ＳＺＷＢＺと従動油圧シリンダーの実位置値との間の差分を小さくするために、駆動・従動油圧シリンダーの位置保持値ＳＺＷＢＺと従動油圧シリンダーの実位置値との間の差が設定された位置偏差の正の許容値以下になるまで、対応する従動油圧シリンダーの位置補正速度基準値を出力し、また、連続鋳造用タンディッシュの手動昇降指示の終了後に駆動・従動油圧シリンダーの位置保持値ＳＺＷＢＺと従動油圧シリンダーの実位置値との差が設定された位置偏差の負の許容値より小さい場合、従動油圧シリンダーの位置レギュレーターおよび従動油圧シリンダーの昇降速度閉ループ制御ユニットは解放状態にあり、従動油圧シリンダーの位置レギュレーターは、駆動・従動油圧シリンダーの位置保持値ＳＺＷＢＺと従動油圧シリンダーの実位置値との間の差分を大きくするために、駆動・従動油圧シリンダーの位置保持値ＳＺＷＢＺと従動油圧シリンダーの実位置値との差が設定された位置偏差の負の許容値以上になるまで、対応する従動油圧シリンダーの位置補正速度基準値を出力する、ことを特徴とする請求項１に記載の連続鋳造用タンディッシュ昇降用油圧シリンダーの同期制御システムに基づく同期制御方法。
【請求項６】
前記請求項１に記載の連続鋳造用タンディッシュ昇降用駆動油圧シリンダーの同期制御サブシステムおよび連続鋳造用タンディッシュ昇降用従動油圧シリンダーの同期制御サブシステムにおいて、駆動油圧シリンダーの位置自動保持制御ユニット、従動油圧シリンダーの位置自動保持制御ユニット、駆動油圧シリンダーの昇降速度閉ループ制御ユニット、従動油圧シリンダーの昇降速度閉ループ制御ユニット、駆動油圧シリンダーの手動同期昇降制御ユニット、従動油圧シリンダーの手動同期昇降制御ユニットが増設されており、
１）駆動・従動油圧シリンダーに割り込み故障がない場合、駆動油圧シリンダーの手動同期昇降制御ユニットまたは駆動油圧シリンダーの位置自動保持制御ユニットから駆動油圧シリンダーの昇降速度制御ユニットの解放信号が送信されると、駆動油圧シリンダーの昇降速度閉ループ制御サブユニットは、駆動油圧シリンダーが所望の位置に到達し且つ許容された位置偏差範囲内になった後に、その手動同期昇降制御ユニットまたは駆動油圧シリンダーの位置自動保持ユニットから送信された駆動油圧シリンダーの昇降速度制御ユニットのイネーブル信号が閉鎖されるまで、入力された速度設定を対応する駆動油圧シリンダーの比例制御弁の制御電圧に変換して出力し、
２）駆動・従動油圧シリンダーに割り込み故障がない場合、従動油圧シリンダーの手動同期昇降制御ユニットまたは従動油圧シリンダーの位置自動保持制御ユニットから従動油圧シリンダー昇降速度制御ユニットの解放信号が送信されると、従動油圧シリンダーの昇降速度閉ループ制御サブユニットは、従動油圧シリンダーが所望の位置に到達し且つ許容された位置偏差範囲内になった後に、その従動油圧シリンダーの手動同期昇降制御ユニットまたは従動油圧シリンダーの位置自動保持ユニットから送信された従動油圧シリンダーの昇降速度制御ユニットのイネーブル信号が閉鎖されるまで、入力された速度設定を対応する従動油圧シリンダーの比例制御弁の制御電圧に変換して出力する、ことを特徴とする請求項１に記載の連続鋳造用タンディッシュ昇降用油圧シリンダーの同期制御システムに基づく同期制御方法。
【発明の詳細な説明】
【技術分野】
【０００１】
本発明は、油圧駆動制御の分野に属し、特に、連続鋳造用タンディッシュ昇降用油圧シリンダーの同期制御システムに基づく同期制御方法に関する。
【背景技術】
【０００２】
連続鋳造機用タンディッシュは一般的には、４つの油圧シリンダー（１つの駆動油圧シリンダーと３つの従動油圧シリンダー）によって同期昇降移動を行う。連続鋳造用タンディッシュ昇降用油圧シリンダーの同期制御に関して、現在、油圧４同期モーターに基づく油圧シリンダー同期制御方法、または独立したＰＩコントローラ及び比例制御弁に基づく汎用の駆動・従動油圧シリンダー同期制御方法が主に使用されており、この２種類のマチル油圧シリンダー同期制御手段、特に油圧４同期モーターに基づく油圧シリンダー同期制御方法は、同期制御精度が油圧システムのリーク（例えば、油圧シリンダーの内部リーク）、油圧部品のバラツキのある製造精度、不均一な負荷などの要素による影響を受けやすい。馬鋼長材事業部の南エリアにある１＃および２＃連続鋳造機用タンディッシュは、油圧４同期モーターによって油圧シリンダーを同期昇降させるが、４＃連続鋳造機用タンディッシュは、独立したＰＩコントローラ及び比例制御弁に基づく汎用の駆動・従動油圧シリンダー同期制御方法によって昇降油圧シリンダーを同期制御し、実際の生産プロセスでは、１＃および２＃連続鋳造機用タンディッシュは常に、油圧４同期モーターの異常な作動、又は昇降油圧シリンダーの内部リークにより、昇降油圧シリンダーが同期して作動しないようになり、４＃連続鋳造機用タンディッシュには、昇降油圧シリンダーの内部リークなどの要因により昇降油圧シリンダーが同期して作動しないという現象も発生し、それによって、連続鋳造用タンディッシュが歪んだりずれたりするようになる。連続鋳造用タンディッシュが一旦ずれると、タンディッシュ内の溶鋼が流出しやすくなり、個人および機器の安全性に危害を与える可能性があるだけでなく、さらにタンディッシュのアウトレットが連続鋳造用鋳型のインレットとセンタリングすることができず、溶鋼が連続鋳造用鋳型の外へ流れやすくなるため、連続鋳造が中断され、取鍋溶鋼が炉に戻り、タンディッシュ溶鋼がスクラップになり、また、連続鋳造プロセスから分かるように、連続鋳造用タンディッシュが歪み、タンディッシュの浸漬ノズルの位置が中央合わせなければ、晶析装置内の溶鋼の流動状態が非対称になり、熱中心がずれ、スラブに縦割れを発生させやすくする。
【発明の概要】
【発明が解決しようとする課題】
【０００３】
本発明の実施例は、連続鋳造用タンディッシュ昇降用油圧シリンダーの同期制御システムに基づく同期制御方法を提供し、従来の油圧４同期モーターに基づく油圧シリンダー同期制御方法、または独立したＰＩコントローラ及び比例制御弁に基づく汎用の駆動・従動油圧シリンダーの同期制御方法における同期制御精度が、油圧システムのリーク（例えば、油圧シリンダーの内部リーク）、油圧部品のバラツキのある製造精度、不均一な負荷などの要素による影響を受けやすいという問題を解決することを目的とする。
【０００４】
本発明の実施例は、連続鋳造用タンディッシュ昇降用油圧シリンダーの同期制御システムに基づく同期制御方法を提供し、この方法は以下のステップを含む。
【０００５】
すなわち、連続鋳造用タンディッシュ昇降用油圧シリンダーの同期制御システムに基づく同期制御方法であって、前記システムは、連続鋳造用タンディッシュ昇降用駆動油圧シリンダーの同期制御サブシステムおよび連続鋳造用タンディッシュ昇降用従動油圧シリンダーの同期制御サブシステムを含み、前記連続鋳造用タンディッシュ昇降用駆動油圧シリンダーの同期制御サブシステムは、機能ブロックのＬＺＳＴＣ０１〜ＬＺＳＴＣ１１およびＬＺＳＴＣ２４〜ＬＺＳＴＣ２６で構成される駆動油圧シリンダーの同期位置偏差オーバーラン制御ユニットと、機能ブロックのＬＺＳＴＣ１９〜ＬＺＳＴＣ２３およびＬＺＳＴＣ５１〜ＬＺＳＴＣ６０で構成される駆動油圧シリンダーの同期位置偏差速度補正ユニットと、機能ブロックのＬＺＳＴＣ４４〜ＬＺＳＴＣ４６で構成される駆動・従動油圧シリンダーの故障割り込み制御ユニットと、機能ブロックのＬＺＳＴＣ１２〜ＬＺＳＴＣ１５、ＬＺＳＴＣ２７〜ＬＺＳＴＣ３０、ＬＺＳＴＣ３４〜ＬＺＳＴＣ３８およびＬＺＳＴＣ４３で構成される駆動油圧シリンダーの手動同期昇降制御ユニットと、機能ブロックのＬＺＳＴＣ１６〜ＬＺＳＴＣ１８、ＬＺＳＴＣ３１〜ＬＺＳＴＣ３３、ＬＺＳＴＣ３９〜ＬＺＳＴＣ４３およびＬＺＳＴＣ４８〜ＬＺＳＴＣ５０で構成される駆動油圧シリンダーの位置自動保持制御ユニットと、機能ブロックのＬＺＳＴＣ４７およびＬＺＳＴＣ６１〜ＬＺＳＴＣ６３、ＬＺＳＴＣ６７で構成される駆動油圧シリンダーの昇降速度閉ループ制御ユニットと、を含んでおり、前記連続鋳造用タンディッシュ昇降用従動油圧シリンダーの同期制御サブシステムは、機能ブロックのＬＺＳＴＣ１００、ＬＺＳＴＣ１０１およびＬＺＳＴＣ１０４で構成される従動油圧シリンダーの同期位置偏差オーバーラン制御ユニットと、機能ブロックのＬＺＳＴＣ１１６〜ＬＺＳＴＣ１２０およびＬＺＳＴＣ１２１〜ＬＺＳＴＣ１３０で構成される従動油圧シリンダーの同期位置偏差速度補正ユニットと、機能ブロックのＬＺＳＴＣ１０２、ＬＺＳＴＣ１０３、ＬＺＳＴＣ１０５〜ＬＺＳＴＣ１０８、ＬＺＳＴＣ１３４〜ＬＺＳＴＣ１３６およびＬＺＳＴＣ１３８で構成される従動油圧シリンダーの手動同期昇降制御ユニットと、機能ブロックのＬＺＳＴＣ１１０〜ＬＺＳＴＣ１１５、ＬＺＳＴＣ１３１〜ＬＺＳＴＣ１３３、ＬＺＳＴＣ１３７およびＬＺＳＴＣ１３８で構成される従動油圧シリンダーの位置自動保持制御ユニットと、機能ブロックのＬＺＳＴＣ１３９〜ＬＺＳＴＣ１４２、ＬＺＳＴＣ１４６で構成される従動油圧シリンダーの昇降速度閉ループ制御ユニットと、を含んでおり、駆動油圧シリンダーと従動油圧シリンダーの同期上昇または下降移動を実現するために、前記連続鋳造用タンディッシュ昇降用油圧シリンダーの同期制御システムに基づく連続鋳造用タンディッシュ昇降用油圧シリンダーの同期制御方法は、連続鋳造用タンディッシュ昇降用駆動油圧シリンダーの同期制御方法および連続鋳造用タンディッシュ昇降用従動油圧シリンダーの同期制御方法を含むことを特徴とする。
【０００６】
そのうち、前記連続鋳造用タンディッシュ昇降用駆動油圧シリンダーの同期制御方法は、以下のステップを含む。
【０００７】
すなわち、Ａ１、連続鋳造用タンディッシュが下降移動する時、駆動油圧シリンダーの同期位置偏差オーバーラン制御ユニットは、駆動油圧シリンダーの位置値と各従動油圧シリンダーの位置値との差の最小値ΔＳｍｓ．ｂ．ｍｉｎを取得し、ΔＳｍｓ．ｂ．ｍｉｎの数値（値）が設定された最大許容位置偏差の負の値以下である場合、駆動油圧シリンダーは、駆動油圧シリンダーと最も遅く下降する従動油圧シリンダーとの間の位置偏差値が設定された最大許容位置偏差の負の値より大きくなるまで下降を停止し、連続鋳造用タンディッシュの上昇移動中に、駆動油圧シリンダーの同期位置偏差オーバーラン制御ユニットは、駆動油圧シリンダーの実位置値と各従動油圧シリンダーの実位置値との差の最大値ΔＳｍｓ．ｆ．ｍａｘを取得し、ΔＳｍｓ．ｆ．ｍａｘの数値が設定された最大許容位置偏差の正の値以上である場合、駆動油圧シリンダーは、駆動油圧シリンダーと最も遅く上昇する従動油圧シリンダーとの間の位置偏差値が設定された最大許容位置偏差の正の値より小さくなるまで上昇を停止し、
Ａ２、連続鋳造用タンディッシュの上昇または下降移動中に、駆動油圧シリンダーの同期位置偏差値ΔＳｍｓが設定された範囲を超えた場合、駆動油圧シリンダーの同期位置偏差速度補正ユニットは、駆動・従動油圧シリンダーの間の位置偏差値ΔＳｍｓが再び設定範囲内になるまで、駆動油圧シリンダーの移動速度を補正し、
駆動油圧シリンダーの同期位置偏差速度補正ユニットは、駆動油圧シリンダーの速度補正サブユニットおよび駆動油圧シリンダーの同期偏差高速補正サブユニットを含み、
連続鋳造用タンディッシュが下降移動する時、駆動油圧シリンダーの同期位置偏差値ΔＳｍｓが第１の設定範囲を超えた場合、駆動油圧シリンダーの速度補正サブユニットは、駆動油圧シリンダーの同期位置偏差値ΔＳｍｓを反転してから駆動油圧シリンダーの下降同期位置偏差速度補正係数を掛けたもの、を駆動油圧シリンダーの速度補正値とし、連続鋳造用タンディッシュが上昇移動する時、駆動油圧シリンダーの同期位置偏差値ΔＳｍｓが第１の設定範囲を超えた場合、駆動油圧シリンダーの速度補正サブユニットは、駆動油圧シリンダーの同期位置偏差値ΔＳｍｓを反転してから駆動油圧シリンダー上昇同期位置偏差速度補正係数を掛けたもの、を駆動油圧シリンダーの速度補正値とし、
連続鋳造用タンディッシュが下降または上昇移動する時、駆動油圧シリンダーの同期位置偏差値ΔＳｍｓが第２の設定範囲を超えた場合、駆動油圧シリンダーの同期偏差高速補正サブユニットは、駆動油圧シリンダーの同期位置偏差値ΔＳｍｓと反対方向の駆動油圧シリンダーの同期位置偏差速度補正値を駆動油圧シリンダーの速度補正値とし、
Ａ３、連続鋳造用タンディッシュの昇降用油圧制御システムにおいて、タンディッシュ昇降用駆動またはいずれかの従動油圧シリンダーの変位センサの故障、油圧システムの故障、連続鋳造用タンディッシュの昇降作動禁止および緊急停止が発生する場合、駆動・従動油圧シリンダーの故障割り込み制御ユニットは、駆動／従動油圧シリンダーの昇降速度閉ループ制御ユニットの出力を閉鎖するように制御し、駆動・従動油圧シリンダー比例弁の制御電圧を常にゼロにし、つまり、駆動・従動油圧シリンダーの昇降制御が閉鎖されるようになり、
Ａ４、連続鋳造用タンディッシュの昇降用油圧制御システムがタンディッシュ昇降手動連動モードまたはタンディッシュ昇降手動／自動連動モードにある場合、連続鋳造用タンディッシュの手動下降指示が出される間に、駆動油圧シリンダーの同期位置偏差値ΔＳｍｓが設定された最大許容位置偏差の負の値より大きく、且つ駆動油圧シリンダーが下降終端位置に位置しない場合、駆動油圧シリンダーの手動同期昇降制御ユニットは、駆動・従動油圧シリンダーの手動下降速度設定値を駆動油圧シリンダーの昇降速度閉ループ制御ユニットに出力するとともに、駆動油圧シリンダーの昇降速度閉ループ制御ユニットを解放状態にし、駆動油圧シリンダーと最も遅く下降する従動油圧シリンダーとの間の位置偏差が設定範囲を超えた場合、駆動油圧シリンダーと最も遅く下降する従動油圧シリンダーとの間の位置偏差は駆動油圧シリンダーの同期位置偏差速度補正ユニットによって補正され、駆動油圧シリンダーと最も遅く下降する従動油圧シリンダーとの間の位置偏差が設定された最大許容位置偏差の負の値以下である場合、駆動油圧シリンダーは、両者の位置偏差値が再び設定された最大許容位置偏差の負の値より大きくなるまで下降移動を停止し、連続鋳造用タンディッシュの手動上昇指示が出される間に、駆動油圧シリンダーの同期位置偏差値ΔＳｍｓが設定された最大許容位置偏差の正の値より小さく、且つ駆動油圧シリンダーが上昇終端位置に位置しない場合、駆動油圧シリンダーの手動同期昇降制御ユニットは、駆動・従動油圧シリンダーの手動上昇速度設定値を駆動油圧シリンダーの昇降速度閉ループ制御ユニットに出力するとともに、駆動油圧シリンダーの昇降速度閉ループ制御ユニットを解放状態にし、駆動油圧シリンダーと最も遅く上昇する従動油圧シリンダーとの間の位置偏差が設定範囲を超えた場合、駆動油圧シリンダーと最も遅く上昇する従動油圧シリンダーとの間の位置偏差は駆動油圧シリンダーの同期位置偏差速度補正ユニットによって補正され、駆動油圧シリンダーと最も遅く上昇する従動油圧シリンダーとの間の位置偏差が設定された最大許容位置偏差の正の値以上である場合、駆動油圧シリンダーは、両者の位置偏差値が再び設定された最大許容位置偏差の正の値より小さくなるまで上昇移動を停止し、
Ａ５、連続鋳造用タンディッシュの手動昇降指示の終了時に、連続鋳造用タンディッシュの手動昇降指示の終了後に駆動・従動油圧シリンダーの位置保持値ＳＺＷＢＺと駆動油圧シリンダーの実位置値との差が設定された位置偏差の正の許容値より大きい場合、駆動油圧シリンダーの位置レギュレーターおよび駆動油圧シリンダーの昇降速度閉ループ制御ユニットは解放状態にあり、駆動油圧シリンダーの位置レギュレーターは、駆動・従動油圧シリンダーの位置保持値ＳＺＷＢＺと駆動油圧シリンダーの実位置値との間の差分を小さくするために、駆動・従動油圧シリンダーの位置保持値ＳＺＷＢＺと駆動油圧シリンダーの実位置値との間の差が設定された位置偏差の正の許容値以下になるまで、対応する駆動油圧シリンダーの位置補正速度基準値を出力し、連続鋳造用タンディッシュの手動昇降指示の終了後に駆動・従動油圧シリンダーの位置保持値ＳＺＷＢＺと駆動油圧シリンダーの実位置値との差が設定された位置偏差の負の許容値より小さい場合、駆動油圧シリンダーの位置レギュレーターおよび駆動油圧シリンダーの昇降速度閉ループ制御ユニットは解放状態にあり、駆動油圧シリンダーの位置レギュレーターは、駆動・従動油圧シリンダーの位置保持値ＳＺＷＢＺと駆動油圧シリンダーの実位置値との間の差分を大きくするために、駆動・従動油圧シリンダーの位置保持値ＳＺＷＢＺと駆動油圧シリンダーの実位置値との差が設定された位置偏差の負の許容値以上になるまで、対応する駆動油圧シリンダーの位置補正速度基準値を出力し、
Ａ６、駆動・従動油圧シリンダーに割り込み故障がない場合、駆動油圧シリンダーの手動同期昇降制御ユニットまたは駆動油圧シリンダーの位置自動保持制御ユニットから駆動油圧シリンダーの昇降速度制御ユニットの解放信号が送信されると、駆動油圧シリンダーの昇降速度閉ループ制御サブユニットは、駆動油圧シリンダーが所望の位置に到達し且つ許容された位置偏差範囲内になった後に、その手動同期昇降制御ユニットまたは駆動油圧シリンダーの位置自動保持ユニットから送信された駆動油圧シリンダーの昇降速度制御ユニットのイネーブル信号が閉鎖されるまで、入力された速度設定を対応する駆動油圧シリンダーの比例制御弁の制御電圧に変換して出力する。
【０００８】
そして、前記連続鋳造用タンディッシュ昇降用従動油圧シリンダーの制御方法は、以下のステップを含む。
【０００９】
すなわち、Ｂ１、連続鋳造用タンディッシュが下降移動する時、従動油圧シリンダーの同期位置偏差オーバーラン制御ユニットは、各従動油圧シリンダーの位置値と駆動油圧シリンダーの位置値との差ΔＳｓｎｍを取得し、ΔＳｓｎｍの数値が設定された最大許容位置偏差の負の値以下である場合、従動油圧シリンダーは、従動油圧シリンダーの同期位置偏差値ΔＳｓｎｍが設定された最大許容位置偏差の負の値より大きくなるまで下降を停止し、
連続鋳造用タンディッシュの上昇移動中に、従動油圧シリンダーの同期位置偏差オーバーラン制御ユニットは、各従動油圧シリンダーの位置値と駆動油圧シリンダーの位置値との差ΔＳｓｎｍを取得し、ΔＳｓｎｍの数値が設定された最大許容位置偏差の正の値以上である場合、従動油圧シリンダーは、従動油圧シリンダーの同期位置偏差値ΔＳｓｎｍが設定された最大許容位置偏差の正の値より小さくなるまで上昇を停止し、
Ｂ２、連続鋳造用タンディッシュの上昇または下降移動中に、従動油圧シリンダーの同期位置偏差値ΔＳｓｎｍが設定された範囲を超えた場合、従動油圧シリンダーの同期位置偏差速度補正ユニットは、従動油圧シリンダーと駆動油圧シリンダーとの間の位置偏差値ΔＳｓｎｍが再び設定範囲内になるまで、従動油圧シリンダーの移動速度を補正し、
従動油圧シリンダーの同期位置偏差速度補正ユニットは、従動油圧シリンダーの速度補正サブユニットおよび従動油圧シリンダーの同期偏差高速補正サブユニットを含み、
連続鋳造用タンディッシュが下降移動する時、従動油圧シリンダーの同期位置偏差値ΔＳｓｎｍが第１の設定範囲を超えた場合、従動油圧シリンダーの速度補正サブユニットは、従動油圧シリンダーの同期位置偏差値ΔＳｓｎｍを反転してから従動油圧シリンダーの下降同期位置偏差速度補正係数を掛けたもの、を従動油圧シリンダーの速度補正値とし、連続鋳造用タンディッシュが上昇移動する時、従動油圧シリンダーの同期位置偏差値ΔＳｓｎｍが第１の設定範囲を超えた場合、従動油圧シリンダーの速度補正サブユニットは、従動油圧シリンダーの同期位置偏差値ΔＳｓｎｍを反転してから従動油圧シリンダーの上昇同期位置偏差速度補正係数を掛けたものを、従動油圧シリンダーの速度補正値とし、
連続鋳造用タンディッシュが上昇または下降移動する時、従動油圧シリンダーの同期位置偏差値ΔＳｓｎｍが第２の設定範囲を超えた場合、従動油圧シリンダーの同期偏差高速補正サブユニットは、従動油圧シリンダーの同期位置偏差値ΔＳｓｎｍと反対方向の従動油圧シリンダーの同期位置偏差速度補正値を従動油圧シリンダーの速度補正値とし、
Ｂ３、連続鋳造用タンディッシュの昇降用油圧制御システムがタンディッシュ昇降手動連動モードまたはタンディッシュ昇降手動／自動連動モードにある場合、連続鋳造用タンディッシュの手動下降指示が出される間に、従動油圧シリンダーの同期位置偏差値ΔＳｓｎｍが設定された最大許容位置偏差の負の値より大きく、且つ駆動油圧シリンダーが下降終端位置に位置しない場合、従動油圧シリンダーの手動同期昇降制御ユニットは、駆動・従動油圧シリンダーの手動下降速度設定値を従動油圧シリンダーの昇降速度閉ループ制御ユニットに出力するとともに、従動油圧シリンダーの昇降速度閉ループ制御ユニットを解放状態にし、従動油圧シリンダーの同期位置偏差値ΔＳｓｎｍが設定範囲を超えた場合、従動油圧シリンダーの同期位置偏差値ΔＳｓｎｍは駆動油圧シリンダーの同期位置偏差速度補正ユニットによって補正され、従動油圧シリンダーの同期位置偏差値ΔＳｓｎｍが設定された最大許容位置偏差の負の値以下である場合、従動油圧シリンダーは、両者の位置偏差値が再び設定された最大許容位置偏差の負の値より大きくなるまで下降移動を停止し、また、連続鋳造用タンディッシュの手動上昇指示が出される間に、従動油圧シリンダーの同期位置偏差値ΔＳｓｎｍが設定された最大許容位置偏差の正の値より小さく、且つ駆動油圧シリンダーが上昇終端位置に位置しない場合、従動油圧シリンダーの手動同期昇降制御ユニットは、駆動・従動油圧シリンダーの手動上昇速度設定値を従動油圧シリンダーの昇降速度閉ループ制御ユニットに出力するとともに、従動油圧シリンダーの昇降速度閉ループ制御ユニットを解放状態にし、従動油圧シリンダーの同期位置偏差値ΔＳｓｎｍが設定範囲を超えた場合、従動油圧シリンダーの同期位置偏差値ΔＳｓｎｍは従動油圧シリンダーの同期位置偏差速度補正ユニットによって補正され、従動油圧シリンダーの同期位置偏差値ΔＳｓｎｍが設定された最大許容位置偏差の正の値以上である場合、従動油圧シリンダーは、両者の位置偏差値が再び設定された最大許容位置偏差の正の値より小さくなるまで上昇移動を停止し、
Ｂ４、連続鋳造用タンディッシュの手動昇降指示の終了時に、連続鋳造用タンディッシュの手動昇降指示の終了後に駆動・従動油圧シリンダーの位置保持値ＳＺＷＢＺと従動油圧シリンダーの実位置値との差が設定された位置偏差の正の許容値より大きい場合、従動油圧シリンダーの位置レギュレーターおよび従動油圧シリンダーの昇降速度閉ループ制御ユニットは解放状態にあり、従動油圧シリンダーの位置レギュレーターは、駆動・従動油圧シリンダーの位置保持値ＳＺＷＢＺと従動油圧シリンダーの実位置値との間の差分を小さくするために、駆動・従動油圧シリンダーの位置保持値ＳＺＷＢＺと従動油圧シリンダーの実位置値との間の差が設定された位置偏差の正の許容値以下になるまで、対応する従動油圧シリンダーの位置補正速度基準値を出力し、連続鋳造用タンディッシュの手動昇降指示の終了後に駆動・従動油圧シリンダーの位置保持値ＳＺＷＢＺと従動油圧シリンダーの実位置値との差が設定された位置偏差の負の許容値より小さい場合、従動油圧シリンダーの位置レギュレーターおよび従動油圧シリンダーの昇降速度閉ループ制御ユニットは解放状態にあり、従動油圧シリンダーの位置レギュレーターは、駆動・従動油圧シリンダーの位置保持値ＳＺＷＢＺと従動油圧シリンダーの実位置値との間の差分を大きくするために、駆動・従動油圧シリンダーの位置保持値ＳＺＷＢＺと従動油圧シリンダーの実位置値との差が設定された位置偏差の負の許容値以上になるまで、対応する従動油圧シリンダーの位置補正速度基準値を出力し、
Ｂ５、駆動・従動油圧シリンダーに割り込み故障がない場合、従動油圧シリンダーの手動同期昇降制御ユニットまたは従動油圧シリンダーの位置自動保持制御ユニットから従動油圧シリンダー昇降速度制御ユニットの解放信号が送信されると、従動油圧シリンダーの昇降速度閉ループ制御サブユニットは、従動油圧シリンダーが所望の位置に到達し且つ許容された位置偏差範囲内になった後に、その従動油圧シリンダーの手動同期昇降制御ユニットまたは従動油圧シリンダーの位置自動保持ユニットから送信された従動油圧シリンダーの昇降速度制御ユニットのイネーブル信号が閉鎖されるまで、入力された速度設定を対応する従動油圧シリンダーの比例制御弁の制御電圧に変換して出力する。
【００１０】
本発明は、実施例における連続鋳造用タンディッシュ昇降用油圧シリンダー同期制御方法であって、駆動油圧シリンダーの同期位置偏差速度補正ユニットおよび従動油圧シリンダーの同期位置偏差速度補正ユニットによって設定範囲を超えた駆動・従動油圧シリンダーの間の位置偏差をリアルタイムで補正し、両者の間の偏差が設定された最大許容位置偏差を超えるように増加し続ける場合、駆動油圧シリンダーの同期位置偏差オーバーラン制御ユニットおよび従動油圧シリンダーの同期位置偏差オーバーラン制御ユニットによって、両者の位置偏差が再び設定された最大許容位置偏差より小さくなるまで、移動速度が速い駆動油圧シリンダーまたは従動油圧シリンダーの移動を停止するように制御し、さらに、駆動油圧シリンダーの位置自動保持制御ユニットおよび従動油圧シリンダーの位置自動保持制御ユニットによって、手動指示なしで駆動・従動油圧シリンダーが位置ずれることを回避し、従って、この連続鋳造用タンディッシュ昇降用油圧シリンダー同期制御方法は、連続鋳造用タンディッシュ昇降用油圧シリンダーの同期移動を実現できるだけでなく、さらに連続鋳造用タンディッシュ昇降用油圧シリンダーが動作中に高い耐故障性も備え、油圧シリンダーにリークが発生し、油圧部品の製造精度にバラツキがあり、負荷が不均一な場合には、いずれも連続鋳造用タンディッシュ昇降用油圧シリンダーの同期移動を実現することができる。
【図面の簡単な説明】
【００１１】
【図１】本発明の実施例による連続鋳造用タンディッシュ昇降機構の油圧システム図である。
【図２】本発明の実施例による連続鋳造用タンディッシュ昇降用駆動油圧シリンダーの同期制御サブシステムの構造模式図である。
【図３】本発明の実施例による連続鋳造用タンディッシュ昇降用従動油圧シリンダーの同期制御サブシステムの構造模式図である。
【発明を実施するための形態】
【００１２】
本発明の目的、技術的解決手段および利点をより明らかにするために、以下、図面および実施例と組み合わせて、本発明をさらに詳細に説明する。ここで記載されている具体的な実施例は、本発明を解釈するためのものに過ぎず、本発明を限定するものではないと理解すべきである。
【００１３】
図１は本発明の実施例による連続鋳造用タンディッシュ昇降機構の油圧システム図であり、図２は本発明の実施例による連続鋳造用タンディッシュ昇降用駆動油圧シリンダーの同期制御サブシステムの構造模式図であり、図３は本発明の実施例による連続鋳造用タンディッシュ昇降用従動油圧シリンダーの同期制御サブシステムの構造模式図であり、説明を簡単にするために、本発明の実施例に関連する部分のみ示されている。
【００１４】
図２および図３において、ＳＵＢは減算器であり、ＮＳＷは「デジタル量入力切換えスイッチ」の機能ブロックであり、Ｉ＝「１」の場合、Ｙ＝Ｘ２、Ｉ＝「０」の場合、Ｙ＝Ｘ１、ＮＣＭは「数値比較」の機能ブロックであり、Ｘ１＞Ｘ２の場合、ＱＵは「１」であり、Ｘ１＝Ｘ２の場合、ＱＥは「１」であり、Ｘ１＜Ｘ２の場合、ＱＬは「１」であり、ＲＳＲは「リセット端Ｒを優先とするＲＳトリガー」の機能ブロックであり、Ｓが「１」で、Ｒが「０」の場合、Ｑは「１」で、ＱＮは「０」であり、Ｓが「１」で、Ｒが「１」の場合、Ｑは「０」で、ＱＮは「１」であり、Ｓが「０」で、Ｒが「０」の場合、ＱおよびＱＮはそのまま維持し、Ｓが「０」で、Ｒが「１」の場合、Ｑは「０」で、ＱＮは「１」であり、ＲＧＪは「インテグレータ」の機能ブロックであり、ＰＩＣはＰＩコントローラの機能ブロックであり、ＡＤＤは加算器であり、ＯＲは「オア」ゲートであり、ＡＮＤは「アンド」ゲートであり、ＮＯＴは「ノット」ゲートであり、ＳＺＷＢＺは連続鋳造用タンディッシュ昇降用駆動・従動油圧シリンダーの位置保持値であり、Ｓｍ．ａｃｔは駆動油圧シリンダーの実位置値であり、Ｓｓ１．ａｃｔ、Ｓｓ２．ａｃｔおよびＳｓ３．ａｃｔはそれぞれ連続鋳造用タンディッシュ昇降の第１、第２および第３の従動油圧シリンダーの実位置値であり、ΔＳｍｓ．ｂ．ｍｉｎは連続鋳造用タンディッシュの下降移動時における駆動油圧シリンダーの実位置値と各従動油圧シリンダーの実位置値との差の最小値（つまり、連続鋳造用タンディッシュの下降移動時における駆動油圧シリンダーと最も遅く下降する従動油圧シリンダーとの間の位置偏差値）であり、
ΔＳｍｓ．ｆ．ｍａｘは連続鋳造用タンディッシュの上昇移動時における駆動油圧シリンダーの実位置値と各従動油圧シリンダーの実位置値との差の最大値（つまり、連続鋳造用タンディッシュの上昇移動時における駆動油圧シリンダーと最も遅く上昇する従動油圧シリンダーとの間の位置偏差値）であり、ΔＳｍｓは駆動油圧シリンダーの同期位置偏差値（つまり、駆動油圧シリンダーと最も遅く昇降する従動油圧シリンダーとの間の位置偏差値）であり、ΔＳｓｎｍは従動油圧シリンダー（Ｓｎ）同期位置偏差値（つまり、従動油圧シリンダーと駆動油圧シリンダーとの間の位置偏差値）である。
【００１５】
このような連続鋳造用タンディッシュ昇降用駆動・従動油圧シリンダーの同期制御システムは、図２および３に示すように、いずれも駆動・従動油圧シリンダーの下降終端位置値を０ｍｍとし、駆動・従動油圧シリンダーの位置保持値および実位置値を正の値またはゼロにする。
【００１６】
この連続鋳造用タンディッシュ昇降用油圧シリンダー同期制御システムは、連続鋳造用タンディッシュ昇降用駆動油圧シリンダーの同期制御サブシステム、および連続鋳造用タンディッシュ昇降用従動油圧シリンダーの同期制御サブシステムを含み、この連続鋳造用タンディッシュ昇降用駆動油圧シリンダーの同期制御サブシステムは主に、６つの制御ユニット、つまり、機能ブロックのＬＺＳＴＣ０１〜ＬＺＳＴＣ１１およびＬＺＳＴＣ２４〜ＬＺＳＴＣ２６で構成される駆動油圧シリンダーの同期位置偏差オーバーラン制御ユニットと、機能ブロックのＬＺＳＴＣ１９〜ＬＺＳＴＣ２３およびＬＺＳＴＣ５１〜ＬＺＳＴＣ６０で構成される駆動油圧シリンダーの同期位置偏差速度補正ユニットと、機能ブロックのＬＺＳＴＣ１２〜ＬＺＳＴＣ１５、ＬＺＳＴＣ２７〜ＬＺＳＴＣ３０、ＬＺＳＴＣ３４〜ＬＺＳＴＣ３８およびＬＺＳＴＣ４３で構成される駆動油圧シリンダーの手動同期昇降制御ユニットと、機能ブロックのＬＺＳＴＣ１６〜ＬＺＳＴＣ１８、ＬＺＳＴＣ３１〜ＬＺＳＴＣ３３、ＬＺＳＴＣ３９〜ＬＺＳＴＣ４３およびＬＺＳＴＣ４８〜ＬＺＳＴＣ５０で構成される駆動油圧シリンダーの位置自動保持制御ユニットと、機能ブロックのＬＺＳＴＣ４４〜ＬＺＳＴＣ４６で構成される駆動・従動油圧シリンダーの故障割り込み制御ユニットと、機能ブロックのＬＺＳＴＣ４７、ＬＺＳＴＣ６１〜ＬＺＳＴＣ６３およびＬＺＳＴＣ６７で構成される駆動油圧シリンダーの昇降速度閉ループ制御ユニットと、によって構成される。
【００１７】
駆動油圧シリンダーと従動油圧シリンダーの同期上昇または下降移動を実現するために、この連続鋳造用タンディッシュ昇降用油圧シリンダーの同期制御システムに基づく連続鋳造用タンディッシュ昇降用油圧シリンダーの同期制御方法は、連続鋳造用タンディッシュ昇降用駆動油圧シリンダーの同期制御方法および連続鋳造用タンディッシュ昇降用従動油圧シリンダーの同期制御方法を含み、そのうち、連続鋳造用タンディッシュ昇降用駆動油圧シリンダーの同期制御方法は、以下のステップを含む。
【００１８】
すなわち、Ａ１、駆動・従動油圧シリンダーの上昇または下降移動中に、上昇移動している間に駆動油圧シリンダーは所望の移動方向に最も遅く移動する従動油圧シリンダーとの位置偏差が設定された最大許容位置偏差の正の値（例えば、６ミリメートル）以上である場合、または下降移動している間に駆動油圧シリンダーは所望の移動方向に最も遅く移動する従動油圧シリンダーとの位置偏差が設定された最大許容位置偏差値（例えば、−６ミリメートル）以下である場合、駆動油圧シリンダーを、両者の位置偏差が再び設定された最大許容位置偏差内になるまで移動を停止するように制御し、その後、駆動油圧シリンダーは、設定された加速度で設定速度までに加速し且つ所望の方向に移動し続け、これにより、駆動油圧シリンダーの所望の移動方向における最も遅く移動する従動油圧シリンダーとの位置偏差を最大許容位置偏差範囲内に制御する。これに基づき、駆動油圧シリンダーの同期制御サブシステムには、駆動油圧シリンダーの同期位置偏差オーバーラン制御ユニットが設計されている。このユニットでは、機能ブロックのＬＺＳＴＣ０１〜ＬＺＳＴＣ０７によって、連続鋳造用タンディッシュの下降移動時における駆動油圧シリンダーの位置値と各従動油圧シリンダーの位置値との差の最小値（つまり、ΔＳｍｓ．ｂ．ｍｉｎ）が取得され、機能ブロックのＬＺＳＴＣ０１〜ＬＺＳＴＣ０３およびＬＺＳＴＣ０８〜ＬＺＳＴＣ１１によって、連続鋳造用タンディッシュの上昇移動時における駆動油圧シリンダーの実位置値と各従動油圧シリンダーの実位置値との差の最大値（つまり、ΔＳｍｓ．ｆ．ｍａｘ）が取得される。このように、連続鋳造用タンディッシュが下降移動する時、ΔＳｍｓ．ｂ．ｍｉｎの数値が設定された最大許容位置偏差の負の値（例えば、−６ミリメートル）以下である場合、機能ブロックのＬＺＳＴＣ２６の出力端子ＱＵは、「１」状態から「０」状態に変わり、駆動油圧シリンダーを、駆動油圧シリンダーと最も遅く下降する従動油圧シリンダーとの間の位置偏差値が設定された最大許容位置偏差の負の値（例えば、−６ミリメートル、つまり、駆動油圧シリンダーと最も遅く下降する従動油圧シリンダーとの間の位置偏差が６ミリメートルより小さい）より大きくなるまで下降を停止するようにし、連続鋳造用タンディッシュが上昇移動する時、ΔＳｍｓ．ｆ．ｍａｘの数値が設定された最大許容位置偏差の正の値（例えば、６ミリメートル）以上である場合、機能ブロックのＬＺＳＴＣ２５の出力端子ＱＬは、「１」状態から「０」状態に変わり、駆動油圧シリンダーを、駆動油圧シリンダーと最も遅く上昇する従動油圧シリンダーとの間の位置偏差値が設定された最大許容位置偏差の正の値（例えば、６ミリメートル）より小さくなるまで上昇を停止するようにする。
【００１９】
Ａ２、駆動油圧シリンダーが従動油圧シリンダーとの同期移動中に最大許容位置偏差を超える位置偏差により頻繁に緊急停止すれば、駆動油圧シリンダーは、同期移動中に位置振動が発生しやすく、且つ従動油圧シリンダーの位置振動を引き起こすようになる。そのため、連続鋳造用タンディッシュ昇降用駆動油圧シリンダーの同期制御サブシステムには、駆動油圧シリンダーの同期位置偏差オーバーラン制御ユニットだけでなく、駆動油圧シリンダーの同期位置偏差速度補正ユニットも設計されている。駆動・従動油圧シリンダーの同期移動中に、一旦駆動油圧シリンダーの同期位置偏差値ΔＳｍｓが設定された範囲を超えると、この駆動油圧シリンダーの同期位置偏差速度補正ユニットは、駆動・従動油圧シリンダーの間の位置偏差値が再び設定範囲内になるまで、駆動油圧シリンダーの移動速度をリアルタイムで補正し、これにより、駆動油圧シリンダーの位置偏差値ΔＳｍｓが最大許容位置偏差に達するか、それを超える確率が大幅に低減される。この駆動油圧シリンダーの同期位置偏差速度補正ユニットは、２つのサブユニット、つまり、機能ブロックのＬＺＳＴＣ１９〜ＬＺＳＴＣ２３およびＬＺＳＴＣ５１〜ＬＺＳＴＣ５６で構成される駆動油圧シリンダーの同期位置偏差値ΔＳｍｓの反転値に比例する駆動油圧シリンダーの速度補正サブユニットと、機能ブロックのＬＺＳＴＣ５７〜ＬＺＳＴＣ６０で構成される駆動油圧シリンダーの同期偏差高速補正サブユニットと、によって構成される。駆動油圧シリンダーの同期位置偏差値ΔＳｍｓの反転値に比例する駆動油圧シリンダーの速度補正サブユニットについて、このサブユニットにおける機能ブロックのＬＺＳＴＣ５６の入力端子Ｘ２は、駆動油圧シリンダーの同期位置偏差値ΔＳｍｓを反転してから設定係数（この設定係数は、駆動油圧シリンダーの同期位置偏差速度補正係数とも呼ばれる）を掛けたものに等しい。連続鋳造用タンディッシュの昇降速度の大きな差異（一般的には、上昇速度は下降速度の約２倍である）を考慮すれば、この場合、駆動油圧シリンダーの昇降同期位置偏差をすべて設定された許容範囲内に制御するために、駆動油圧シリンダーの昇降同期制御に対して、異なる同期位置偏差速度補正係数、つまり、駆動油圧シリンダーの上昇同期位置偏差速度補正係数および駆動油圧シリンダーの下降同期位置偏差速度補正係数を採用する。そのため、油圧シリンダーの同期位置偏差値ΔＳｍｓの反転値に比例する駆動油圧シリンダーの速度補正サブユニットには、機能ブロックのＬＺＳＴＣ１９〜ＬＺＳＴＣ２３およびＬＺＳＴＣ５４で構成される駆動油圧シリンダーの同期位置偏差速度補正係数選択部分が設けられている。駆動油圧シリンダーが上昇移動する時、この部分における機能ブロックのＬＺＳＴＣ２３の出力端子Ｑは「１」状態になり、こうして、この部分における「デジタル量入力切換えスイッチ」の機能ブロックＬＺＳＴＣ５４の制御端子Ｉも「１」状態になり、よって、駆動油圧シリンダーの同期位置偏差速度補正係数を駆動油圧シリンダーの上昇同期位置偏差速度補正係数（例えば、２０）とし、駆動油圧シリンダーが下降または停止移動する時、この部分における機能ブロックのＬＺＳＴＣ２３の出力端子Ｑは「０」状態になり、こうして、この部分における「デジタル量入力切換えスイッチ」の機能ブロックＬＺＳＴＣ５４の制御端子Ｉも「０」状態になり、よって、駆動油圧シリンダーの同期位置偏差速度補正係数を駆動油圧シリンダーの下降同期位置偏差速度補正係数（例えば、１０）とする。こうして、駆動油圧シリンダーの同期位置偏差値ΔＳｍｓが第１の設定範囲（例えば、±０．５ミリメートル）を超えた場合、機能ブロックＬＺＳＴＣ５６の制御端Ｉ端は、「０」状態から「１」状態に変わり、機能ブロックＬＺＳＴＣ５６の出力端子Ｙの出力値をその入力端子Ｘ２の入力値に等しくし、これにより、このサブユニットは、駆動油圧シリンダーの同期位置偏差値ΔＳｍｓの反転値に比例する速度補正値を出力し、この部分の速度補正値によって、駆動油圧シリンダーの位置偏差値ΔＳｍｓが再び第１の設定範囲（例えば、±０．５ミリメートル）になるまで、駆動油圧シリンダーと最も遅く移動する従動油圧シリンダーとの間の同期位置偏差を徐々に小さくする。連続鋳造用タンディッシュが下降または上昇移動する時、駆動油圧シリンダーの同期位置偏差値ΔＳｍｓが第２の設定範囲を超えた場合、駆動油圧シリンダーの同期偏差高速補正サブユニットは、駆動油圧シリンダーの同期位置偏差値ΔＳｍｓと反対方向の駆動油圧シリンダーの同期位置偏差速度補正値を駆動油圧シリンダーの速度補正値とし、つまり、駆動油圧シリンダーの同期位置偏差値ΔＳｍｓが正の値で、且つ第２の設定範囲に設けられた正端値（例えば、２ミリメートル）より大きい場合、この駆動油圧シリンダーの同期位置偏差高速補正サブユニットにおける機能ブロックＬＺＳＴＣ５８の制御端子のＩ端は「０」状態から「１」状態に変わり、この機能ブロックＬＺＳＴＣ５８の出力端子Ｙの出力値をその入力端子Ｘ２の入力値（例えば、−２Ｖ）に等しくし、この部分の速度補正値によって、駆動油圧シリンダーの位置偏差値ΔＳｍｓが第２の設定範囲に設けられた正端値（例えば、２ミリメートル）より小さくなるまで、駆動油圧シリンダーの同期位置偏差値ΔＳｍｓ（＞０）を迅速に小さくし、駆動油圧シリンダーの同期位置偏差値ΔＳｍｓが負の値で、且つ第２の設定範囲における負端値（例えば、−２ミリメートル）より小さい場合、この駆動油圧シリンダーの同期位置偏差高速補正サブユニットにおける機能ブロックＬＺＳＴＣ６０の制御端子のＩ端は「０」状態から「１」状態に変わり、この機能ブロックＬＺＳＴＣ６０の出力端子Ｙの出力値をその入力端子Ｘ２の入力値（例えば、２Ｖ）に等しくし、この部分の速度補正値によって、駆動油圧シリンダーの位置偏差値ΔＳｍｓが第２の設定範囲における負端値（例えば、−２ミリメートル）より大きくなるまで、駆動油圧シリンダーの同期位置偏差値ΔＳｍｓ（＜０）を迅速に大きくする。上記から分かるように、この駆動油圧シリンダーの同期位置偏差速度補正ユニットによって、駆動油圧シリンダーの速度を同期位置偏差のオーバーラン（例えば、±６ミリメートル）の前にリアルタイムで補正することができ、これにより駆動油圧シリンダーは、同期移動中に最も遅く昇降する従動油圧シリンダーとの位置偏差が設定された最大許容位置偏差値を超えることによって緊急停止することが回避され��。
【００２０】
Ａ３、連続鋳造用タンディッシュ昇降用油圧制御システムの故障状態でのタンディッシュ昇降作動を防止するために、駆動油圧シリンダーの同期制御サブシステムには、駆動・従動油圧シリンダー昇降故障割り込み制御ユニットが設定されている。連続鋳造用タンディッシュ昇降用油圧制御システムにおいて、タンディッシュ昇降用駆動またはいずれかの従動油圧シリンダーの変位センサの故障、油圧システムの故障、連続鋳造用タンディッシュの昇降作動禁止および緊急停止が発生する場合、このユニットにおける機能ブロックＬＺＳＴＣ４６の出力端子Ｑは「１」状態から「０」状態に変わり、駆動・従動油圧シリンダーの昇降速度制御ユニットの出力を閉鎖し、駆動・従動油圧シリンダーの比例弁の制御電圧を常にゼロにし、つまり、駆動・従動油圧シリンダーの昇降制御が閉鎖されるようになる。
【００２１】
Ａ４、駆動油圧シリンダーの手動同期昇降制御ユニットについて、連続鋳造用タンディッシュ昇降用油圧制御システムがタンディッシュ昇降手動連動モードまたはタンディッシュ昇降手動／自動連動モードにある場合、連続鋳造用タンディッシュの手動下降指示が出される間に、このユニットにおける機能ブロックＬＺＳＴＣ１４の出力端子Ｙ（つまり、図２中のＡ点）の数値は、駆動油圧シリンダー下降速度設定値（例えば、−２Ｖ）に等しくなり、機能ブロックＬＺＳＴＣ１５の出力端子ＱＬは「１」状態になり、これにより、駆動油圧シリンダーと最も遅く下降する従動油圧シリンダーとの間の位置偏差値（即ΔＳｍｓ．ｂ．ｍｉｎ）が設定された最大許容位置偏差の負の値（例えば、−６ミリメートル）より大きく、且つ駆動油圧シリンダーが下降終端位置に位置しなければ、この駆動油圧シリンダーの手動同期昇降制御ユニットにおける機能ブロックのＬＺＳＴＣ３０、ＬＺＳＴＣ３７およびＬＺＳＴＣ４３の出力端子Ｑは「１」状態になり、こうして、機能ブロックＬＺＳＴＣ３８の出力端子Ｙの数値は機能ブロックＬＺＳＴＣ１４の出力端子Ｙから出力された数値（つまり、駆動・従動油圧シリンダーの下降速度設定値（例えば、−２Ｖ））に等しくなり、この駆動油圧シリンダーの手動同期昇降制御ユニットは、駆動・従動油圧シリンダーの手動下降速度設定値を駆動油圧シリンダーの昇降速度閉ループ制御ユニットに出力し、また、このユニットは、機能ブロックＬＺＳＴＣ４３の出力端子Ｑが「１」状態であることで、駆動油圧シリンダーの昇降速度閉ループ制御ユニットを解放状態にする。連続鋳造用タンディッシュの下降中に、駆動油圧シリンダーと最も遅く下降する従動油圧シリンダーとの間の位置偏差値は、駆動油圧シリンダーの同期偏差速度補正ユニットによって補正され、両者の位置偏差値が設定された最大許容位置偏差の負の値（例えば、−６ミリメートル）以下であれば、駆動油圧シリンダーは、両者の位置偏差値が再び設定された最大許容位置偏差の負の値（例えば、−６ミリメートル）より大きくなるまで下降移動を停止する。連続鋳造用タンディッシュの手動上昇指示が出される間に、このユニットにおける機能ブロックＬＺＳＴＣ１４の出力端子Ｙ（つまり、図２中のＡ点）の数値は駆動・従動油圧シリンダーの上昇速度設定値（例えば、４Ｖ）に等しくなり、機能ブロックＬＺＳＴＣ１５の出力端子ＱＵは「１」状態になり、こうして、駆動油圧シリンダーと最も遅く上昇する従動油圧シリンダーとの間の位置偏差値（つまり、ΔＳｍｓ．ｆ．ｍａｘ）が設定された最大許容位置偏差の正の値（例えば、６ミリメートル）より小さく、且つ駆動油圧シリンダーが上昇終端位置に位置しなければ、この駆動油圧シリンダーの手動同期昇降制御ユニットにおける機能ブロックのＬＺＳＴＣ２９、ＬＺＳＴＣ３７およびＬＺＳＴＣ４３の出力端子Ｑは「１」状態になり、こうして、機能ブロックＬＺＳＴＣ３８の出力端子Ｙの数値は機能ブロックのＬＺＳＴＣ１４の出力端子Ｙから出力された数値（つまり、駆動・従動油圧シリンダーの上昇速度設定値（例えば、４Ｖ））に等しくなり、この駆動油圧シリンダーの手動同期昇降制御ユニットは、駆動・従動油圧シリンダーの手動上昇速度設��値を駆動油圧シリンダーの昇降速度閉ループ制御ユニットに出力し、また、このユニットは、機能ブロックのＬＺＳＴＣ４３の出力端子Ｑが「１」状態であることで、駆動油圧シリンダーの昇降速度閉ループ制御ユニットを解放状態にする。連続鋳造用タンディッシュの上昇中に、駆動油圧シリンダーと最も遅く上昇する従動油圧シリンダーとの間の位置偏差値は、駆動油圧シリンダーの同期偏差速度補正ユニットによって補正され、両者の位置偏差値が設定された最大許容位置偏差の正の値（例えば、６ミリメートル）以上であれば、駆動油圧シリンダーは、両者の位置偏差値が再び設定された最大許容位置偏差の正の値（例えば、６ミリメートル）より小さくなるまで上昇移動を停止する。
【００２２】
Ａ５、連続鋳造用タンディッシュが所望の作動位置に上昇または下降した後に、作業者は、連続鋳造用タンディッシュの手動昇降指示を終了すると、駆動・従動油圧シリンダーの昇降制御比例弁はいずれも中間位置セルフロック状態にあり、この場合、駆動油圧シリンダーにある程度の内部リークがあれば、駆動油圧シリンダーは、一定の時間後に、ある程度下に移動し、駆動油圧シリンダーの実位置を所望の作動位置からずらす。手動指示なしで駆動油圧シリンダーが位置ずれることを回避するために、駆動油圧シリンダーの同期制御サブシステムには、駆動油圧シリンダーの位置自動保持制御ユニットが設計されている。連続鋳造用タンディッシュの手動昇降指示の終了時に、このユニットにおける機能ブロックＬＺＳＴＣ１７の出力端子Ｑは、「０」状態から「１」状態に変わり、同時に、「デジタル量入力切換えスイッチ」の機能ブロックＬＺＳＴＣ１８の出力端子Ｙの数値（つまり、駆動・従動油圧シリンダーの位置保持値ＳＺＷＢＺ）は常に、連続鋳造用タンディッシュの手動昇降指示終了タイミングでこの機能ブロックＸ１の入力端子から入力された数値（つまり、手動昇降指示の終了タイミングに対応する駆動油圧シリンダーの実位置値）に等しくするようになる。これにより、連続鋳造用タンディッシュの昇降作動モードが手動／自動連動モードにあり、連続鋳造用タンディッシュの手動昇降指示が終了し、且つ駆動・従動油圧シリンダーに割り込み故障がない場合、連続鋳造用タンディッシュの手動昇降指示の終了後に駆動・従動油圧シリンダーの位置保持値ＳＺＷＢＺと駆動油圧シリンダーの実位置値との差が設定された位置偏差の正の許容値（例えば、３ミリメートル）より大きければ、このユニットにおける機能ブロックＬＺＳＴＣ４９の出力端子Ｑは「１」状態になり、このユニットにおける「ＰＩコントローラ」の機能ブロックＬＺＳＴＣ５０（つまり、駆動油圧シリンダーの位置レギュレーター）のイネーブル制御端子（ＥＮ）を「１」状態にし、駆動油圧シリンダーの位置レギュレーターを解放状態にし、また、このユニットにおける機能ブロックＬＺＳＴＣ４３の出力端子Ｑは「１」状態になり、駆動油圧シリンダーの昇降速度閉ループ制御ユニットも解放状態にする。こうして、駆動・従動油圧シリンダーの位置保持値ＳＺＷＢＺと駆動油圧シリンダーの実位置値との間に偏差がある場合、この駆動油圧シリンダーの位置レギュレーターは、駆動・従動油圧シリンダーの位置保持値ＳＺＷＢＺと駆動油圧シリンダーの実位置値との間の差分を小さくするために、駆動・従動油圧シリンダーの位置保持値ＳＺＷＢＺと駆動油圧シリンダーの実位置値との間の差が設定された位置偏差の正の許容値（例えば、３ミリメートル）以下になるまで、対応する駆動油圧シリンダーの位置補正速度基準値を出力する。同様に、連続鋳造用タンディッシュの昇降作動モードが手動／自動連動モードにあり、連続鋳造用タンディッシュの手動昇降指示が終了し、且つ駆動・従動油圧シリンダーに割り込み故障がない場合、連続鋳造用タンディッシュの手動昇降指示の終了後に駆動・従動油圧シリンダーの位置保持値ＳＺＷＢＺと駆動油圧シリンダーの実位置値との差が設定された位置偏差の負の許容値（例えば、−３ミリメートル）より小さければ、このユニットにおける機能ブロックＬＺＳＴＣ４９の出力端子Ｑも「１」状態になり、このユニットにおける「ＰＩコントローラ」の機能ブロックＬＺＳＴＣ５０（つまり、駆動油圧シリンダーの位置レギュレーター）のイネーブル制御端子（ＥＮ）を「１」状態にし、駆動油圧シリンダーの位置レギュレーターを解放状態にし、また、このユニットにおける機能ブロックＬＺＳＴＣ４３の出力端子Ｑも「１」状態になり、駆動油圧シリンダーの昇降速度閉ループ制御ユニットも解放状態にする。こうして、駆動・従動油圧シリンダーの位置保持値ＳＺＷＢＺと駆動油圧シリンダーの実位置値との間に偏差がある場合、この駆動油圧シリンダーの位置レギュレーターは、駆動・従動油圧シリンダーの位置保持値ＳＺＷＢＺと駆動油圧シリンダーの実位置値との間の差分を大きくするために、駆動・従動油圧シリンダーの位置保持値ＳＺＷＢＺと駆動油圧シリンダーの実位置値との差が設定された位置偏差の負の許容値（例えば、−３ミリメートル）以上になるまで、対応する駆動油圧シリンダーの位置補正速度基準値を出力する。
【００２３】
Ａ６、駆動油圧シリンダーの手動同期昇降制御ユニットまたは駆動油圧シリンダーの位置自動保持制御ユニットは、機能ブロックＬＺＳＴＣ４３の出力端子Ｑが「１」であることにより、駆動油圧シリンダーの昇降速度閉ループ制御ユニットの解放信号（つまり、駆動油圧シリンダーの昇降速度制御ユニットのイネーブル信号）を送信する時、この駆動油圧シリンダーの昇降速度閉ループ制御ユニットにおける速度設定積分ブロック機能ブロックのＬＺＳＴＣ６２および速度レギュレーター機能ブロックのＬＺＳＴＣ６３は解放状態にあり、こうして、このユニットにおける速度設定積分ブロック機能ブロックのＬＺＳＴＣ６２の入力端子Ｘから入力された速度設定がゼロでない場合、このユニットは、機能ブロックＬＺＳＴＣ６７によって、駆動油圧シリンダーが所望の位置に到達し且つ許容された位置偏差範囲内になった後に、駆動油圧シリンダーの手動同期昇降制御ユニットまたは駆動油圧シリンダーの位置自動保持ユニットから送信された駆動油圧シリンダーの昇降速度制御ユニットのイネーブル信号が閉鎖されるまで、対応する駆動油圧シリンダーの比例制御弁の制御電圧を出力する。
【００２４】
連続鋳造用タンディッシュ昇降用駆動油圧シリンダーの同期制御サブシステムは、機能ブロックのＬＺＳＴＣ６４〜ＬＺＳＴＣ６７で構成される駆動油圧シリンダーの比例制御弁の順逆不感帯補償ユニットを含み、この連続鋳造用タンディッシュ昇降用駆動油圧シリンダーの同期制御方法は、さらに以下を含む。
【００２５】
すなわち、Ａ７、油圧シリンダーの比例制御弁の制御電圧と比例弁の開度との間に一般的には特定の不感帯が存在することを考慮すれば、比例制御弁の制御電圧が所定の数値に達するだけで、比例制御弁の開度は変化し、且つ比例制御弁の制御電圧にほぼ比例することになる。従って、駆動油圧シリンダーの比例制御弁の制御応答を向上させるために、駆動油圧シリンダーの比例制御弁の順逆不感帯補償ユニットが設けられており、駆動油圧シリンダーの昇降速度制御ユニットにおける速度レギュレーター機能ブロックＬＺＳＴＣ６３の出力端子Ｙの数値（つまり、駆動油圧シリンダーの比例制御弁の制御電圧）がゼロより大きい場合、この駆動油圧シリンダーの比例制御弁の順逆不感帯補償ユニットにおける機能ブロックＬＺＳＴＣ６５の制御端子Ｉは「１」状態であり、機能ブロックＬＺＳＴＣ６５の出力端子Ｙは、順方向の比例制御弁の不感帯補償電圧（例えば、１Ｖ）を出力し、これにより、速度レギュレーター機能ブロックから出力された比例制御弁の制御電圧とこの順方向の比例制御弁の不感帯補償電圧が重畳されて駆動油圧シリンダーの比例制御弁の制御電圧となることで、駆動油圧シリンダーの比例制御弁の順方向開度の調整速度が加速されており、駆動油圧シリンダーの昇降速度閉ループ制御ユニットにおける速度レギュレーター機能ブロックのＬＺＳＴＣ６３の出力端子Ｙの数値（つまり、駆動油圧シリンダーの比例制御弁の制御電圧）がゼロより小さい場合、この駆動油圧シリンダーの比例制御弁の順逆不感帯補償ユニットにおける機能ブロックのＬＺＳＴＣ６６の制御端子Ｉは「１」状態であり、機能ブロックのＬＺＳＴＣ６６の出力端子Ｙは、逆方向の比例制御弁の不感帯補償電圧（例えば、−１Ｖ）を出力し、これにより、速度レギュレーター機能ブロックから出力された比例制御弁の制御電圧とこの逆方向の比例制御弁の不感帯補償電圧が重畳されて駆動油圧シリンダーの比例制御弁の制御電圧となることで、駆動油圧シリンダーの比例制御弁の逆方向開度の調整速度が加速されている。
【００２６】
連続鋳造用タンディッシュ昇降用従動油圧シリンダーの同期制御サブシステムは主に、５つの制御ユニット、つまり、機能ブロックのＬＺＳＴＣ１００、ＬＺＳＴＣ１０１およびＬＺＳＴＣ１０４で構成される従動油圧シリンダーの同期位置偏差オーバーラン制御ユニットと、機能ブロックのＬＺＳＴＣ１１６〜ＬＺＳＴＣ１２０およびＬＺＳＴＣ１２１〜ＬＺＳＴＣ１３０で構成される従動油圧シリンダーの同期位置偏差速度補正ユニットと、機能ブロックのＬＺＳＴＣ１０２、ＬＺＳＴＣ１０３、ＬＺＳＴＣ１０５〜ＬＺＳＴＣ１０８、ＬＺＳＴＣ１３４〜ＬＺＳＴＣ１３６およびＬＺＳＴＣ１３８で構成される従動油圧シリンダーの手動同期昇降制御ユニットと、機能ブロックのＬＺＳＴＣ１１０〜ＬＺＳＴＣ１１５、ＬＺＳＴＣ１３１〜ＬＺＳＴＣ１３３、ＬＺＳＴＣ１３７およびＬＺＳＴＣ１３８で構成される従動油圧シリンダーの位置自動保持制御ユニットと、機能ブロックのＬＺＳＴＣ１３９〜ＬＺＳＴＣ１４２、ＬＺＳＴＣ１４６で構成される従動油圧シリンダーの昇降速度閉ループ制御ユニットと、によって構成される。
【００２７】
連続鋳造用タンディッシュ昇降用従動油圧シリンダーの制御方法は、以下のステップを含む。
【００２８】
すなわち、Ｂ１、駆動・従動油圧シリンダーの同期上昇または下降移動中に、上昇移動している間に従動油圧シリンダーが所望の移動方向に駆動油圧シリンダーとの位置偏差が設定された最大許容位置偏差の正の値（例えば、６ミリメートル）以上である場合、または下降移動している間に従動油圧シリンダーが所望の移動方向に駆動油圧シリンダーとの位置偏差が設定された最大許容位置偏差の負の値（例えば、−６ミリメートル）以下である場合、従動油圧シリンダーを、両者の位置偏差値が再び設定された最大許容位置偏差より小さくなるまで移動を停止するように制御し、その後、従動油圧シリンダーは、設定された加速度で設定速度までに加速し且つ所望の方向に移動し続け、これにより、従動油圧シリンダーの所望の移動方向における駆動油圧シリンダーとの位置偏差を最大許容位置偏差範囲内に制御する。これに基づき、従動油圧シリンダーの同期制御サブシステムには、従動油圧シリンダーの同期位置偏差オーバーラン制御ユニットが設計されている。連続鋳造用タンディッシュが下降移動する時、従動油圧シリンダーの同期位置偏差値ΔＳｓｎｍが設定された最大許容位置偏差の負の値（例えば、−６ミリメートル）以下である場合、機能ブロックＬＺＳＴＣ１０４の出力端子ＱＵは「１」状態から「０」状態に変わり、従動油圧シリンダーを、従動油圧シリンダーの同期位置偏差値ΔＳｓｎｍが設定された最大許容位置偏差の負の値（例えば、−６ミリメートル、つまり、従動油圧シリンダーと駆動油圧シリンダーとの間の位置偏差が６ミリメートルより小さい）より大きくなるまで下降を停止し、また、連続鋳造用タンディッシュが上昇移動する時、ΔＳｓｎｍの数値が設定された最大許容位置偏差の正の値（例えば、６ミリメートル）以上である場合、機能ブロックＬＺＳＴＣ１０１の出力端子ＱＬは「１」状態から「０」状態に変わり、従動油圧シリンダーを、従動油圧シリンダーと駆動油圧シリンダーとの間の位置偏差値が設定された最大許容位置偏差の正の値（例えば、６ミリメートル）より小さくなるまで上昇を停止する。
【００２９】
Ｂ２、従動油圧シリンダーが駆動油圧シリンダーとの同期移動中に最大許容位置偏差を超える位置偏差により頻繁に緊急停止すれば、従動油圧シリンダーは、同期移動中に位置振動が発生しやすく、且つ駆動油圧シリンダーの位置振動を引き起こすようになる。そのため、連続鋳造用タンディッシュ昇降用従動油圧シリンダーの同期制御サブシステムには、従動油圧シリンダーの同期位置偏差オーバーラン制御ユニットだけでなく、従動油圧シリンダーの同期位置偏差速度補正ユニットも設計されている。駆動・従動油圧シリンダーの同期移動中に、一旦従動油圧シリンダーの同期位置偏差値ΔＳｓｎｍが設定された範囲（例えば、±０．５ミリメートル）を超えると、この従動油圧シリンダーの同期位置偏差速度補正ユニットは、従動油圧シリンダーと駆動油圧シリンダーとの間の位置偏差値が再び設定範囲内になるまで、従動油圧シリンダーの移動速度をリアルタイムで補正し、これにより、従動油圧シリンダーと駆動油圧シリンダーとの間の位置偏差が最大許容位置偏差に達するか、それを超える確率が大幅に低減される。この従動油圧シリンダーの同期位置偏差速度補正ユニットは、２つのサブユニット、つまり、機能ブロックのＬＺＳＴＣ１１６〜ＬＺＳＴＣ１２０およびＬＺＳＴＣ１２１〜ＬＺＳＴＣ１２６で構成される従動油圧シリンダーの同期位置偏差値ΔＳｓｎｍの反転値に比例する従動油圧シリンダーの速度補正サブユニットと、機能ブロックのＬＺＳＴＣ１２７〜ＬＺＳＴＣ１３０で構成される従動油圧シリンダーの同期偏差高速補正サブユニットと、によって構成される。従動油圧シリンダーの同期位置偏差値ΔＳｓｎｍの反転値に比例する従動油圧シリンダーの速度補正サブユニットについて、このサブユニットにおける機能ブロックＬＺＳＴＣ１２６の入力端子Ｘ２は、従動油圧シリンダーの同期位置偏差値ΔＳｓｎｍを反転してから設定係数（この設定係数は、従動油圧シリンダーの同期位置偏差速度補正係数とも呼ばれる）を掛けたものに等しい。連続鋳造用タンディッシュの昇降速度の大きな差異（一般的には、上昇速度は下降速度の約２倍である）を考慮すれば、この場合、従動油圧シリンダーの昇降同期位置偏差をすべて設定された許容範囲内に制御するために、従動油圧シリンダーの昇降同期制御に対して、異なる同期位置偏差速度補正係数、つまり、従動油圧シリンダーの上昇同期位置偏差速度補正係数および従動油圧シリンダーの下降同期位置偏差速度補正係数を採用する。このため、従動油圧シリンダーの同期位置偏差値ΔＳｓｎｍの反転値に比例する従動油圧シリンダーの速度補正サブユニットには、機能ブロックのＬＺＳＴＣ１１６〜ＬＺＳＴＣ１２０およびＬＺＳＴＣ１２４で構成される従動油圧シリンダーの同期位置偏差速度補正係数選択部分が設けられている。従動油圧シリンダーが上昇移動する時、この部分における機能ブロックＬＺＳＴＣ１２０の出力端子Ｑは「１」状態になり、この部分における「デジタル量入力切換えスイッチ」の機能ブロックＬＺＳＴＣ１２４の制御端子Ｉも「１」状態になり、よって、従動油圧シリンダーの同期位置偏差速度補正係数を従動油圧シリンダーの上昇同期位置偏差速度補正係数（例えば、２０）とし、従動油圧シリンダーが下降または停止移動する時、この部分における機能ブロックＬＺＳＴＣ１２０の出力端子Ｑは「０」状態になり、こうして、この部分における「デジタル量入力切換えスイッチ」の機能ブロックＬＺＳＴＣ１２４の制御端子Ｉも「０」状態になり、よって、従動油圧シリンダーの同期位置偏差速度補正係数を従動油圧シリンダーの下降同期位置偏差速度補正係数（例えば、１０）とする。こうして、従動油圧シリンダーの同期位置偏差値ΔＳｓｎｍが第１の設定範囲（例えば、±０．５ミリメートル）を超えた場合、機能ブロックＬＺＳＴＣ１２６の制御端子のＩ端は、「０」状態から「１」状態に変わり、機能ブロックＬＺＳＴＣ１２６の出力端子Ｙの出力値をその入力端子Ｘ２の入力値に等しくし、これにより、このサブユニットは、従動油圧シリンダーの同期位置偏差値ΔＳｓｎｍの反転値に比例する速度補正値を出力し、この部分の速度補正値によって、従動油圧シリンダーの同期位置偏差値ΔＳｓｎｍが再び第１の設定範囲（例えば、±０．５ミリメートル）になるまで、従動油圧シリンダーと駆動油圧シリンダーとの間の同期位置偏差を徐々に小さくする。
【００３０】
連続鋳造用タンディッシュが下降または上昇移動する時、従動油圧シリンダーの同期位置偏差値ΔＳｓｎｍが第２の設定範囲を超えた場合、従動油圧シリンダーの同期偏差高速補正サブユニットは、従動油圧シリンダーの同期位置偏差値ΔＳｓｎｍと反対方向の従動油圧シリンダーの同期位置偏差速度補正値を従動油圧シリンダーの速度補正値とし、つまり、従動油圧シリンダーの同期位置偏差値ΔＳｓｎｍが正の値で、且つ第２の設定範囲における正端値（例えば、２ミリメートル）より大きい場合、この従動油圧シリンダーの同期位置偏差高速補正サブユニットにおける機能ブロックＬＺＳＴＣ１２８の制御端子のＩ端は、「０」状態から「１」状態に変わり、この機能ブロックＬＺＳＴＣ１２８の出力端子Ｙの出力値を、その入力端子Ｘ２の入力値（例えば、−２Ｖ）に等しくし、この部分の速度補正値によって、従動油圧シリンダーの位置偏差値ΔＳｓｎｍが第２の設定範囲における正端値（例えば、２ミリメートル）より小さくなるまで、従動油圧シリンダーの同期位置偏差値ΔＳｓｎｍ（＞０）を迅速に小さくし、従動油圧シリンダーの同期位置偏差値ΔＳｓｎｍが負の値で、且つ第２の設定範囲における負端値（例えば、−２ミリメートル）より小さい場合、この従動油圧シリンダーの同期位置偏差高速補正サブユニットにおける機能ブロックＬＺＳＴＣ１３０の制御端子のＩ端は、「０」状態から「１」状態に変わり、この機能ブロックＬＺＳＴＣ１３０の出力端子Ｙの出力値を、その入力端子Ｘ２の入力値（例えば、２Ｖ）に等しくし、この部分の速度補正値によって、従動油圧シリンダーの位置偏差値ΔＳｓｎｍが第２の設定範囲における負端値（例えば、−２ミリメートル）より大きくなるまで、従動油圧シリンダーの同期位置偏差値ΔＳｓｎｍ（＜０）を迅速に大きくする。上記から分かるように、この従動油圧シリンダーの同期位置偏差速度補正ユニットによって、従動油圧シリンダーの速度を同期位置偏差のオーバーラン（例えば、±６ミリメートル）の前にリアルタイムで補正することができ、これにより従動油圧シリンダーは、同期移動中に駆動油圧シリンダーとの位置偏差が最大許容位置偏差値を超えることによって緊急停止することが回避される。
【００３１】
Ｂ３、従動油圧シリンダーの手動同期昇降制御ユニットについて、連続鋳造用タンディッシュ昇降用油圧制御システムがタンディッシュ昇降手動連動モードまたはタンディッシュ昇降手動／自動連動モードにある場合、連続鋳造用タンディッシュの手動下降指示が出される間に、従動油圧シリンダーの同期位置偏差値ΔＳｓｎｍが設定された最大許容位置偏差の負の値（−６ミリメートル）より大きく、且つ従動油圧シリンダーが下降終端位置に位置しなければ、この従動油圧シリンダーの手動同期昇降制御ユニットにおける機能ブロックのＬＺＳＴＣ１０６、ＬＺＳＴＣ１３５およびＬＺＳＴＣ１３８の出力端子Ｑは「１」状態になり、機能ブロックＬＺＳＴＣ１３６の出力端子Ｙの数値は、駆動油圧シリンダーの同期制御サブシステムにおける機能ブロックＬＺＳＴＣ１４の出力端子Ｙから出力された数値（つまり、駆動・従動油圧シリンダーの下降速度設定値（例えば、−２Ｖ））に等しくなり、この従動油圧シリンダーの手動同期昇降制御ユニットは、駆動・従動油圧シリンダーの手動下降速度設定値を従動油圧シリンダーの昇降速度閉ループ制御ユニットに出力し、同時に、このユニットは、機能ブロックＬＺＳＴＣ１３８の出力端子Ｑが「１」状態であることで、従動油圧シリンダーの昇降速度閉ループ制御ユニットを解放状態にする。連続鋳造用タンディッシュの下降中に、従動油圧シリンダーの同期位置偏差値ΔＳｓｎｍは、従動油圧シリンダーの同期偏差速度補正ユニットによって補正され、ΔＳｓｎｍの数値が設定された最大許容位置偏差の負の値（例えば、−６ミリメートル）以下である場合、従動油圧シリンダーは、ΔＳｓｎｍの数値が再び設定された最大許容位置偏差の負の値（如−６ミリメートル）より大きくなるまで下降移動を停止する。連続鋳造用タンディッシュの手動上昇指示が出される間に、従動油圧シリンダーの同期位置偏差値ΔＳｓｎｍが設定された最大許容位置偏差の正の値（例えば、６ミリメートル）より小さく、且つ従動油圧シリンダーが終端位置に位置しなければ、この従動油圧シリンダーの手動同期昇降制御ユニットにおける機能ブロックのＬＺＳＴＣ１０３、ＬＺＳＴＣ１３５およびＬＺＳＴＣ１３８の出力端子Ｑは「１」状態になり、機能ブロックＬＺＳＴＣ１３６の出力端子Ｙの数値は、駆動油圧シリンダーの同期制御サブシステムにおける機能ブロックＬＺＳＴＣ１４の出力端子Ｙから出力された数値（つまり、駆動・従動油圧シリンダーの上昇速度設定値（例えば、４Ｖ））に等しくなり、この従動油圧シリンダーの手動同期昇降制御ユニットは、駆動・従動油圧シリンダーの手動下降速度設定値を従動油圧シリンダーの昇降速度閉ループ制御ユニットに出力し、同時に、このユニットは、機能ブロックＬＺＳＴＣ１３８の出力端子Ｑが「１」状態であることで、従動油圧シリンダーの昇降速度閉ループ制御ユニットを解放状態にする。連続鋳造用タンディッシュの上昇中に、従動油圧シリンダーの同期位置偏差値ΔＳｓｎｍは、従動油圧シリンダーの同期偏差速度補正ユニットによって補正され、ΔＳｓｎｍの数値が設定された最大許容位置偏差の正の値（例えば、６ミリメートル）以上である場合、従動油圧シリンダーは、ΔＳｓｎｍの数値が再び設定された最大許容��置偏差の正の値（例えば、６ミリメートル）より小さくなるまで上昇移動を停止する。
【００３２】
Ｂ４、連続鋳造用タンディッシュが所望の作動位置に上昇または下降した後に、作業者は、連続鋳造用タンディッシュの手動昇降指示を終了すると、駆動・従動油圧シリンダーの昇降制御比例弁はいずれも中間位置セルフロック状態にあり、この場合、従動油圧シリンダーにある程度の内部リークがあれば、従動油圧シリンダーは、一定の時間後に、ある程度下に移動し、従動油圧シリンダーの実位置を所望の作動位置からずらす。手動指示なしで従動油圧シリンダーが位置ずれることを回避するために、従動油圧シリンダーの同期制御サブシステムには、従動油圧シリンダーの位置自動保持制御ユニットが設計されている。連続鋳造用タンディッシュの昇降作動モードが手動／自動連動モードにあり、連続鋳造用タンディッシュの手動昇降指示が終了し、且つ駆動・従動油圧シリンダーに割り込み故障がない場合、連続鋳造用タンディッシュの手動昇降指示の終了後に駆動・従動油圧シリンダーの位置保持値ＳＺＷＢＺと従動油圧シリンダーの実位置値との差が設定された位置偏差の正の許容値（例えば、３ミリメートル）より大きければ、このユニットにおける機能ブロックＬＺＳＴＣ１１４の出力端子Ｑは「１」状態になり、このユニットにおける「ＰＩコントローラ」の機能ブロックＬＺＳＴＣ１１５（つまり、従動油圧シリンダー（Ｓｎ）の位置レギュレーター）のイネーブル制御端子（ＥＮ）を「１」状態にし、従動油圧シリンダー（Ｓｎ）の位置レギュレーターを解放状態にし、また、このユニットにおける機能ブロックのＬＺＳＴＣ１３８の出力端子Ｑは「１」状態になることで、従動油圧シリンダーの昇降速度閉ループ制御ユニットも解放状態にする。こうして、駆動・従動油圧シリンダーの位置保持値ＳＺＷＢＺと従動油圧シリンダーの実位置値との間に偏差がある場合、この従動油圧シリンダーの位置レギュレーターは、駆動・従動油圧シリンダーの位置保持値ＳＺＷＢＺと従動油圧シリンダーの実位置値との間の差値を小さくするために、駆動・従動油圧シリンダーの位置保持値ＳＺＷＢＺと従動油圧シリンダーの実位置値との差が設定された位置偏差の正の許容値（例えば、３ミリメートル）以下になるまで、対応する従動油圧シリンダーの位置補正速度基準値を出力する。同様に、連続鋳造用タンディッシュの昇降作動モードが手動／自動連動モードにあり、連続鋳造用タンディッシュの手動昇降指示が終了し、且つ駆動・従動油圧シリンダーに割り込み故障がない場合、連続鋳造用タンディッシュの手動昇降指示の終了後に駆動・従動油圧シリンダーの位置保持値ＳＺＷＢＺと従動油圧シリンダーの実位置値との差が設定された位置偏差の負の許容値（例えば、−３ミリメートル）より小さければ、このユニットにおける機能ブロックＬＺＳＴＣ１１４の出力端子Ｑも「１」状態になり、このユニットにおける「ＰＩコントローラ」の機能ブロックＬＺＳＴＣ１１５（つまり、従動油圧シリンダーの位置レギュレーター）のイネーブル制御端子（ＥＮ）を「１」状態にし、従動油圧シリンダーの位置レギュレーターを解放状態にし、また、このユニットにおける機能ブロックＬＺＳＴＣ１３８の出力端子Ｑも「１」状態になり、従動油圧シリンダーの昇降速度閉ループ制御ユニットも解放状態にする。こうして、駆動・従動油圧シリンダーの位置保持値ＳＺＷＢＺと従動油圧シリンダーの実位置値との間に偏差がある場合、この従動油圧シリンダーの位置レギュレーターは、駆動・従動油圧シリンダーの位置保持値ＳＺＷＢＺと従動油圧シリンダーの実位置値との間の差値を大きくするために、駆動・従動油圧シリンダーの位置保持値ＳＺＷＢＺと従動油圧シリンダーの実位置値との間の差値が設定された位置偏差の負の許容値（例えば、−３ミリメートル）以上になるまで、対応する従動油圧シリンダーの位置補正速度基準値を出力する。
【００３３】
Ｂ５、駆動・従動油圧シリンダーに割り込み故障がない場合、従動油圧シリンダーの手動同期昇降制御ユニットまたは従動油圧シリンダーの位置自動保持制御ユニットは、機能ブロックＬＺＳＴＣ１３８の出力端子Ｑが「１」であることにより、従動油圧シリンダーの昇降速度制御ユニットの解放信号（つまり、従動油圧シリンダーの昇降速度制御ユニットのイネーブル信号）を送信する時、この従動油圧シリンダーの昇降速度閉ループ制御ユニットにおける速度設定積分ブロック機能ブロックのＬＺＳＴＣ１４１および速度レギュレーター機能ブロックのＬＺＳＴＣ１４２は解放状態にあり、これにより、このユニットにおける速度設定積分ブロック機能ブロックのＬＺＳＴＣ１４２の入力端子Ｘから入力された速度設定がゼロでない場合、このユニットは、機能ブロックＬＺＳＴＣ１４６によって、従動油圧シリンダーが所望の位置に到達し且つ許容された位置偏差範囲内になった後に、従動油圧シリンダーの手動同期昇降制御ユニットまたは従動油圧シリンダーの位置自動保持ユニットから送信された従動油圧シリンダーの昇降速度制御ユニットのイネーブル信号が閉鎖されるまで、対応する従動油圧シリンダーの比例制御弁の制御電圧を出力する。
【００３４】
連続鋳造用タンディッシュ昇降用従動油圧シリンダーの同期制御サブシステムは、機能ブロックのＬＺＳＴＣ１４３〜ＬＺＳＴＣ１４６で構成される従動油圧シリンダーの比例制御弁の順逆不感帯補償ユニットを含み、この連続鋳造用タンディッシュ昇降用従動油圧シリンダーの同期制御方法はさらに、以下を含む。
【００３５】
すなわち、Ｂ６、油圧シリンダーの比例制御弁の制御電圧と比例弁の開度との間に一般的には特定の不感帯が存在することを考慮すれば、比例制御弁の制御電圧が所定の数値に達するだけで、比例制御弁の開度は変化し、且つ比例制御弁の制御電圧にほぼ比例することになる。従って、従動油圧シリンダーの比例制御弁の制御応答を向上させるために、従動油圧シリンダーの昇降速度制御ユニットには、従動油圧シリンダーの比例制御弁の順逆不感帯補償ユニットが設けられている。従動油圧シリンダーの昇降速度閉ループ制御ユニットにおける速度レギュレーター機能ブロックのＬＺＳＴＣ１４２の出力端子Ｙの数値（つまり、従動油圧シリンダーの比例制御弁の制御電圧）がゼロより大きい場合、この従動油圧シリンダーの比例制御弁の順逆不感帯補償ユニットにおける機能ブロックＬＺＳＴＣ１４４の制御端子Ｉは「１」状態であり、機能ブロックＬＺＳＴＣ１４４の出力端子Ｙは、順方向の比例制御弁の不感帯補償電圧（例えば、ＩＶ）を出力し、これにより、速度レギュレーター機能ブロックから出力された比例制御弁の制御電圧とこの順方向の比例制御弁の不感帯補償電圧が重畳されて従動油圧シリンダーの比例制御弁の制御電圧となることで、従動油圧シリンダーの比例制御弁の順方向開度の調整速度が加速されており、従動油圧シリンダーの昇降速度制御ユニットにおける速度レギュレーター機能ブロックＬＺＳＴＣ１４２の出力端子Ｙの数値（つまり、従動油圧シリンダーの比例制御弁の制御電圧）がゼロより小さい場合、この従動油圧シリンダーの比例制御弁の順逆不感帯補償ユニットにおける機能ブロックＬＺＳＴＣ１４５の制御端子Ｉは「１」状態であり、機能ブロックＬＺＳＴＣ１４５の出力端子Ｙは、逆方向の比例制御弁の不感帯補償電圧（例えば、−１Ｖ）を出力し、これにより、速度レギュレーター機能ブロックから出力された比例制御弁の制御電圧とこの逆方向の比例制御弁の不感帯補償電圧が重畳されて従動油圧シリンダーの比例制御弁の制御電圧となることで、従動油圧シリンダーの比例制御弁の逆方向開度の調整速度が加速されている。
【００３６】
本発明は、実施例における連続鋳造用タンディッシュ昇降用油圧シリンダー同期制御方法であって、駆動油圧シリンダーの同期位置偏差速度補正ユニットおよび従動油圧シリンダーの同期位置偏差速度補正ユニットによって、設定範囲を超える駆動・従動油圧シリンダーの間の位置偏差をリアルタイムで補正し、両者の間の偏差が設定された最大許容位置偏差になるまで増加し続ける場合、駆動油圧シリンダーの同期位置偏差オーバーラン制御ユニットおよび従動油圧シリンダーの同期位置偏差オーバーラン制御ユニットによって、両者の位置偏差が再び設定された最大許容位置偏差より小さくなるまで、移動速度が速い駆動油圧シリンダーまたは従動油圧シリンダーの移動を停止するように制御し、さらに、駆動油圧シリンダーの位置自動保持制御ユニットおよび従動油圧シリンダーの位置自動保持制御ユニットによって、手動指示なしで駆動・従動油圧シリンダーが位置ずれることを回避し、従って、この連続鋳造用タンディッシュ昇降用油圧シリンダー同期制御方法は、連続鋳造用タンディッシュ昇降用油圧シリンダーの同期移動を実現できるだけでなく、さらに連続鋳造用タンディッシュ昇降用油圧シリンダーの動作中に高い耐故障性も備え、油圧シリンダーにリークが発生し、油圧部品の製造精度にバラツキがあり、負荷が不均一な場合には、いずれも連続鋳造用タンディッシュ昇降用油圧シリンダーの同期移動を実現することができる。
【００３７】
以上の記載は本発明の好ましい実施例に過ぎず、本発明を制限するためのものではなく、本発明の精神及び原則においてなされた如何なる修正、均等置換および改善等も、全て本発明の保護範囲内に含まれるものとする。
【図１】
0006961021.tif 000002
【図２】
0006961021.tif 000003
【図３】
0006961021.tif 000004